(57)【要約】【課題】肩、肘、膝、足首等の痛みに対する療法としてプラスター剤（硬膏剤）等の貼付剤に関し、指先の力が弱くなっており動きも鈍っている高齢者であっても、指が滑り難くしっかりと剥離シートを摘んで剥離シートを簡単に剥がすことができ剥離作業性に優れるとともに、皮膚に円滑に貼付することができる貼付剤を提供することを目的とする。【解決手段】本発明の貼付剤１は、支持体２と、支持体２の一面に積層された粘着層と、前記粘着層に剥離可能に付着され一方の縁部５からこれに対向する他方の縁部６に延びる切れ目７が形成された剥離シート４と、を備え、剥離シート４が、切れ目７の左右に切り込み線８により形成される指の一部を掛ける指掛け孔を備える。【選択図】図１
2009022730.tif 000002
【特許請求の範囲】
【請求項１】
支持体と、前記支持体の一面に積層された粘着層と、前記粘着層に剥離可能に付着され一方の縁部からこれに対向する他方の縁部に延びる切れ目が形成された剥離シートと、を備えた貼付剤であって、
前記剥離シートが、前記切れ目の左右に切り込み線により形成される指の一部を掛ける指掛け孔を備えていることを特徴とする貼付剤。
【請求項２】
支持体と、前記支持体の一面に積層された粘着層と、前記粘着層に剥離可能に付着された剥離シートと、前記剥離シートの一方の縁部からこれに対向する他方の縁部に間隔をあけて延びる第一切れ目と、前記第一切れ目と間隔をあけて前記剥離シートの一方の縁部からこれに対向する他方の縁部に延びる第二切れ目と、を備えた貼付剤であって、
前記剥離シートが、前記第一切れ目の左側と前記第二切れ目の右側に切り込み線により形成される指の一部を掛ける指掛け孔を備えていることを特徴とする貼付剤。
【請求項３】
前記切り込み線が、前記切れ目，前記第一切れ目，前記第二切れ目と間隔をあけて形成された主切り込み部と、前記主切り込み部から前記切れ目，前記第一切れ目，前記第二切れ目の方向に延設された切れ目側延設部と、を備えていることを特徴とする請求項１又は２に記載の貼付剤。
【請求項４】
前記切り込み線が、前記主切り込み部から前記切れ目，前記第一切れ目，前記第二切れ目の反対側に延設された外側延設部を備えていることを特徴とする請求項３に記載の貼付剤。
【請求項５】
前記切り込み線が、前記切れ目側延設部の末端から前記切れ目，前記第一切れ目，前記第二切れ目と略平行方向に延設された平行切り込み部を備えていることを特徴とする請求項３又は４に記載の貼付剤。
【請求項６】
前記剥離シートが、前記切れ目側延設部又は前記平行切り込み部に延設された折り線を備えていることを特徴とする請求項３乃至５の内いずれか１に記載の貼付剤。
【請求項７】
前記粘着層が、経皮吸収性薬物を含有していることを特徴とする請求項１乃至６の内いずれか１に記載の貼付剤。
【請求項８】
前記経皮吸収性薬物が、抗炎症剤であることを特徴とする請求項７に記載の貼付剤。
【請求項９】
前記経皮吸収性薬物が、認知症治療剤であることを特徴とする請求項７に記載の貼付剤。
【発明の詳細な説明】
【技術分野】
【０００１】
本発明は、プラスター剤（硬膏剤）等の貼付剤に関するものである。
【背景技術】
【０００２】
従来より、肩、肘、膝、足首等の痛みに対する療法としてプラスター剤（硬膏剤）等の貼付剤が広く利用されている。貼付剤は、支持体の一面に粘着層を積層し粘着層に剥離シートを付着させたものが一般的であり、使用時には剥離シートを剥がして粘着層を皮膚に貼着するものである。例えば、膏体が積層された支持体と、前記膏体に付着された剥離シートと、を備えた貼付剤であって、前記剥離シートが、直線状，波形状，鋸歯状の切り込み線により一定幅で形成された剥離帯体を備えたものが知られている（特許文献１）。
しかし、剥離シートは粘着層に密着しているので剥離し難く、特に高齢者は指先の力が弱くなっており動きも鈍っているため剥離シートの剥離作業は一苦労であり、年齢が高くなるにつれ貼付剤の使用頻度が高くなり、さらに剥離シートの剥離作業の困難性が増していた。
そこで、高齢者であっても簡単に剥離シートを粘着層から剥離できる貼付剤の開発が進められている。
従来の技術としては、例えば（特許文献２）に「膏体が積層された支持体と、前記膏体に付着され端部で折り返された凸状の端縁形状の第一摘み部を有する第一剥離シートと、前記膏体に付着され前記第一摘み部の上に一部が重ねられた第二剥離シートと、を備えた貼付剤」が開示されている。
【特許文献１】実公昭６０−３６５６３号公報
【特許文献２】特開２００７−６８９４８号公報
【発明の開示】
【発明が解決しようとする課題】
【０００３】
しかしながら上記従来の技術においては、以下のような課題を有していた。
（１）（特許文献２）に開示の技術では、第一摘み部と第二摘み部が突出しているので各々を指で摘んで引っ張ることにより、第一剥離シートと第二剥離シートを膏体から剥がすことができる。しかしながら、第一摘み部及び第二摘み部はいずれも、厚みが１０〜８０μｍと薄い剥離シートの一部なので摘み難く、さらに膏体と接する側の剥離シートの面は、シリコンコーティング等の剥離処理がなされており滑り易くなっているため、特に高齢者の場合は指先の力が弱っており、また指先が乾燥しがちなこともあって、摘んだ指の間から第一摘み部や第二摘み部が滑り抜けてしまうことがあり、剥離シートを簡単に剥がせないという課題を有していた。
（２）貼付剤の製造面からいえば、第一剥離シートの一部を折り返して第一摘み部を形成し、その上に重ねて第二摘み部を形成する工程が煩雑で、生産性に著しく欠けるという課題を有していた。
（３）第一摘み部と第二摘み部は膏体に付着しておらず突出しているため、貼付剤を包装用袋に収容するとき等、第一摘み部や第二摘み部が包装用袋の縁に引っ掛かり、使用前に剥離シートが剥がれたり剥離シートが剥がれて露出した膏体が付着したりする等の問題が生じ易く、製造ラインが停止したり不良品が発生したりするという課題を有していた。
（４）第一摘み部と第二摘み部は膏体に付着しておらず突出しているため、使用時に包装用袋から取り出す際にも第一摘み部や第二摘み部が包装用袋の縁に引っ掛かり易いため取り出し難く、取扱性に欠けるという課題を有していた。
【０００４】
本発明は上記従来の課題を解決するもので、指が滑り難くしっかりと剥離シートを摘んで剥離シートを簡単に剥がすことができ剥離作業性に優れるとともに、皮膚に円滑に貼付することができる貼付剤を提供することを目的とする。さらに、粘着層に経皮吸収性薬物を含有させることにより、手指の力の弱った高齢者であっても自ら剥離シートを剥がして円滑に皮膚に貼付でき、一定量の有効成分をコントロールしながら持続的に経皮吸収させて投与できる貼付剤を提供することを目的とする。
【課題を解決するための手段】
【０００５】
上記従来の課題を解決するために本発明の貼付剤は、以下の構成を有している。
本発明の請求項１に記載の貼付剤は、支持体と、前記支持体の一面に積層された粘着層と、前記粘着層に剥離可能に付着され一方の縁部からこれに対向する他方の縁部に延びる切れ目が形成された剥離シートと、を備えた貼付剤であって、前記剥離シートが、前記切れ目の左右に切り込み線により形成される指の一部を掛ける指掛け孔を備えた構成を有している。
この構成により、以下のような作用が得られる。
（１）剥離シートが切れ目の左右に切り込み線により形成される指の一部を掛ける指掛け孔を備えているので、切り込み線が形成されている部分を支持体側から指で押し上げると、切り込み線の周囲の剥離シートが押し上げられて粘着層から剥がれ、切り込み線が開口し指掛け孔が形成される。切れ目に沿って浮き上がらせた剥離シートと粘着層の間に指を潜り込ませて指掛け孔に指を掛け、別の指で剥離シートを挟むようにして反対側から指掛け孔に指を掛けると、指同士が指掛け孔を通して合わさるので、しっかりと剥離シートを摘むことができ、指が滑り難くなるため、剥離シートを簡単に剥がすことができる。
（２）粘着層に面した剥離シートの面は、シリコンコーティング等の剥離処理がなされており、さらに粘着層の基剤成分の影響により非常に滑り易くなっているが、指掛け孔を通して剥離シートを摘んだ指同士を接触させられるので、滑ることなく剥離シートをしっかりと摘んで剥がすことができる。
（３）切り込み線が形成されている部分を支持体側から指で押し上げると、切り込み線の周囲の剥離シートが押し上げられ粘着層から剥がれて切り込み線を開口させて指掛け孔を形成させることができるが、切り込み線が略円弧状、略コ字状、十字状等に形成されている場合は、切り込み線の周囲の剥離シート（舌片）の押し上げ量を大きくできるため、舌片を立ち上げて折り曲げることで指掛け孔を大きく開口させることができる。このため、指掛け孔にしっかりと指を掛けて剥離シートを把持して簡単に剥がすことができる。
（４）使用前には切り込み線の周囲は粘着層に付着しており突出していないため、製造面からいえば、剥離シートに切れ目及び切り込み線を形成するだけでよいため、既存の生産設備や材料を活用することができ、新たな設備投資等をほとんど必要としない。また、剥離シートに突出した部分がないため、製造ラインを搬送されるときや貼付剤を包装用袋に収容するとき等、装置や包装用袋の縁に引っ掛かることがなく、使用前に剥離シートが剥がれたり剥離シートが剥がれて露出した粘着層が付着したりする等の問題が生じ難く、製造ラインが停止したり不良品が発生したりするという問題が生じることがなく、生産性に著しく優れる。
（５）使用前には切り込み線の周囲は粘着層に付着しており突出していないため、使用時に包装用袋から取り出す際に包装用袋の縁に引っ掛かることがなく、スムーズに取り出せるため取扱性に優れる。
【０００６】
剥離シートは、粘着層の全面に剥離可能に付着されているもので、使用時には剥離されるものである。粘着層の全面に剥離可能に貼着されることで、貼付剤を使用する前においては、柔軟性の高い貼付剤に皺ができてしまうことを防止する効果や、粘着層中の薬効成分や水分の逃散を防止する効果を有する。また、貼付剤を貼付する際には、剥離シートを剥がしながら粘着層を患部に密着させていくことで、柔軟性の高い貼付剤に剛性を付与し綺麗に貼付する効果を有する。
剥離シートの構成材料は特に制限されず、ポリエステル，ポリ塩化ビニル，ポリ塩化ビニリデン，ポリエチレンテレフタレート等の合成樹脂製フィルム、上質紙又はグラシン紙とポリオレフィンとのラミネートフィルム、シリコン加工紙等が適宜選択される。
【０００７】
剥離シートの厚さとしては、３００μｍ以下、好ましくは２０〜１５０μｍ、より好ましくは３５〜９０μｍが好適である。適度な剛性を付与し、剥離シートの剥離作業の取扱性を向上させるとともに、支持体を皺なく皮膚患部に貼付するためである。
剥離シートの厚さが３５μｍより薄くなるにつれ貼付剤の腰が弱くなり、剥離シートを剥がし難くなるとともに、貼付する際に支持体に皺が生じ易くなる傾向がみられ、９０μｍより厚くなるにつれ、剥離シートが次第に硬くなり貼付し難くなる傾向がみられる。特に、２０μｍより薄くなるか３００μｍより厚くなると、これらの傾向が著しくなるため、いずれも好ましくない。
【０００８】
剥離シートに指掛け孔を形成する切り込み線の形状としては、剥離シートを剥がす際に指の一部が掛かるようなものであれば特に制限されず、剥離シートに形成された切れ目の左右に、直線状、波線状、鋸歯状、略円弧状、半楕円状、十字状、放射状、Ｔ状、Ｙ状、Ｖ状、略Ｈ状、略Ｉ状、略コ字状、山形状等に形成されたものが用いられる。
切り込み線は、剥離シートの切れ目寄りに形成される。切り込み線により形成される指掛け孔に指を掛けて、切れ目側から剥離シートを剥がすためである。
なお、剥離シートの切れ目から切り込み線の末端までの最短距離（後述する寸法Ａ）としては、２〜３０ｍｍ、好ましくは３〜２５ｍｍ、より好ましくは５〜２０ｍｍが好適である。また、貼付剤の横幅（剥離シートの縁部の長さ）との比率に換算すると、剥離シートの切れ目から切り込み線の末端までの最短距離（寸法Ａ）は、貼付剤の横幅の１／５０〜１／５、好ましくは３／１００〜３／２０、より好ましくは１／２０〜１／１０が好適である。この最短距離が短くなるにつれ、剥離シートの厚さにもよるが、切り込み線の周囲の剥離シートを立ち上げたときや摘んだときに、切り込み線の末端から切れ目に向かって剥離シートに裂け目が生じて剥離シートの縁部分が切断され易くなる傾向がみられ、特に２ｍｍ未満になるか該比率が１／５０未満になると、この傾向が著しくなるため好ましくない。剥離シートの縁部分が切断されて切り込み線が切れ目と繋がってしまうと、指掛け孔に指を掛けて剥離シートを剥がすことが困難になるからである。また、この最短距離が長くなるにつれ、切れ目から指掛け孔までの距離が長くなるので、指掛け孔に指を掛け難くなる傾向がみられ、特に３０ｍｍを超えるか該比率が１／５を超えると、この傾向が著しくなるため好ましくない。
【０００９】
切り込み線により形成される指掛け孔は、切れ目の左右に少なくとも一つずつ形成されていればよい。剥離シートを摘んで剥がす際に、指掛け孔に指が掛かれば良いからである。また、指掛け孔は、剥離シートの一方の縁部と他方の縁部のほぼ中央位置に形成されるのが好ましい。指掛け孔に指を掛けて剥離シートを剥がす際に、支持体が捻れ難く皺なく綺麗に貼付できるからである。
切れ目の左右に一つずつ指掛け孔が形成される場合、剥離シートの切れ目が形成された一方の縁部から切り込み線までの最短距離、他方の縁部から切り込み線までの最短距離（後述する寸法Ｄ）としては、１０ｍｍ以上、好ましくは２０ｍｍ以上あれば好適である。また、貼付剤の縦の長さ（剥離シートの対向する縁部間の距離）との比率に換算すると、剥離シートの縁部から切り込み線までの最短距離（寸法Ｄ）は、剥離シートの対向する縁部間の長さの１／７以上、好ましくは２／７以上が好適である。この最短距離が短くなるにつれ、切り込み線により形成される指掛け孔が大きくなり、指掛け孔から露出する粘着層の面積が大きくなるため、貼付する際に粘着層同士が粘着し絡まり易くなる傾向がみられる。特に、１０ｍｍ未満になるか該比率が１／７未満になると、この傾向が著しくなるため好ましくない。
【００１０】
剥離シートには、切り込み線の外側（切れ目の反対側）に、一方の縁部からこれに対向する他方の縁部に延びる折り線を形成しておくこともできる。これにより、指掛け孔に指を掛けて剥離シートを切れ目側から剥がしていくと、折り線の存在により剥離シートは折り線に沿って折れ曲がり、粘着層に再付着することが防止される。この状態で患部に貼付剤を押し当てれば、粘着層が露出状態を維持しているため、患部に付着させ予備的に固定させることができる。そして、剥離シートの指掛け孔を指で把持したまま引っ張るだけで剥離シートは粘着層から剥離し、同時に粘着層全体を皮膚に付着させることができる。
ここで、折り線としては、ミシン目等の弱化線が用いられる。弱化線は剥離シートを切断することを目的としたものではないため、ミシン目を構成している各切込みは剥離シートを貫通している必要はなく、剥離シートを薄肉にするものでもよい。さらに弱化線は、剥離シートの折り曲げを容易に行うことができれば良いため、ミシン目に限定する必要はなく、溝や切れ線、加熱して剥離シートを劣化させた線等、種々の形態が考えられる。
【００１１】
剥離シートの切れ目としては、直線状、波線状、鋸歯状等の種々の形状に形成されたものが用いられる。特に、波線状に形成されたものが好適である。支持体が内側になるように貼付剤を切れ目で折り曲げるだけで波線状が突出し、剥離シートが浮き上がるため、浮き上がらせた剥離シートの縁部分と粘着層の間に指を潜り込ませて剥離シートの裏側から指掛け孔に指を掛け、別の指で剥離シートの表側から指掛け孔に指を掛けて剥離シートを摘んで、剥離シートを簡単に剥がすことができ、また角張っていないので指に当たっても痛くないからである。
【００１２】
剥離シートには、切り込み線の舌片や切れ目の縁に着色を施したり、矢印や記号等の印を付けたり、指掛け孔の作り方の説明文を記載したりするのが好ましい。支持体側から指で押し上げるときの押し上げ位置の目標や使用方法の参考にすることができ、視力が低下した高齢者等であっても一連の剥離動作をスムーズに行うことができるからである。
また、指掛け孔は、切り込み線に対して略左右対称に形成されていることが好ましい。指掛け孔に指を掛けて皮膚患部の面に沿って剥離シートをスライドさせるようにして引張り、剥離シートを徐々に剥がしながら貼付剤を皮膚患部に貼付する際、左右の剥離シートに均等に力がかかるので、貼付剤に皴ができたり空気が入ったりすることなく貼付できるからである。
【００１３】
支持体としては、構成材料は特に限定されないが、ポリエチレンテレフタレート（ＰＥＴ）、エチレン−酢酸ビニル共重合体（ＥＶＡ）、ポリ塩化ビニリデン、ポリエチレン、ポリエステル、ポリ酢酸ビニル、ポリブタジエン、スチレン−ブタジエンもしくはスチレン−イソプレンを主体とするブロック共重合樹脂、ナイロン、ポリウレタン、アルコキシアルキル（メタ）アクリレート共重合体、ポリビニルアセタール、ポリアミド、レイヨン等の合成樹脂からなるフィルム、織布、編布、不織布、またはこれらの積層体が好ましく使用される。
また、支持体は適度な柔軟性、および伸縮性を有していることが好ましい。さらに、支持体の厚みは０．０１ｍｍ〜５ｍｍが好ましい。支持体の厚みが０．０１ｍｍ未満となるとハンドリングが悪くなり、シワが生じ易くなる傾向にあり、他方、５ｍｍを超えると柔軟性が低下し、貼付時に違和感が生じ、また物理的な刺激が付与され易くなる傾向にあるからである。
【００１４】
支持体の一面に積層された粘着層の主成分は、感圧性接着剤が用いられる。その構成材料は、特に限定されないが、常温で薬物を皮膚表面に長時間固定し得る粘着力を有するものが好ましく、例えば、アクリル系粘着剤、ゴム系粘着剤、シリコン系粘着剤等が挙げられる。中でも粘着物性および薬物の放出性がよいという観点からゴム系粘着剤が好ましく用いられ、特に、（メタ）アクリル酸２−エチルヘキシル、（メタ）アクリル酸ブチル、天然ゴム、合成イソプレンゴム、ポリイソブチレン、ポリビニルエーテル、ポリウレタン、ポリイソプレン、ポリブタジエン、スチレン−ブタジエン共重合体、スチレン−イソプレン共重合体、スチレン−イソプレン−スチレンブロック（ＳＩＳ）共重合体等がより好ましく用いられる。さらに、ＳＩＳ共重合体を用いる場合は、シェル化学社製のＳＩＳ基剤（商品名：カリフレックスＴＲ−１１０７、カリフレックスＴＲ−１１１１、カリフレックスＴＲ−１１１２、カリフレックスＴＲ−１１１７）、クレイトン社のＳＩＳ基剤（商品名：D-KX401CS）、日本合成ゴム社製のＳＩＳ基剤（商品名：ＪＳＲ５０００、ＪＳＲ５００２、ＪＳＲ５１００、ＪＳＲ５２００）、日本ゼオン社製のＳＩＳ基剤（商品名：クインタック３５７０Ｃ、クインタック３４２１）等が最も好ましく用いられる。
【００１５】
粘着層には、必要に応じて粘着付与剤、軟化剤、充填剤、抗酸化剤、溶解剤、吸収促進剤等の配合剤を添加してもよい。このような配合剤としては、例えば、脂環族飽和炭化水素樹脂（荒川化学工業社製、商品名：アルコンＰ−１００等）、ロジンエステル（荒川化学工業社製、商品名：ＫＥ−３１１、ＫＥ−１００等）、水素添加ロジンエステル（ハーキュレス社製、商品名：フォーラル１０５、フォーラル８５等）、水素化脂環族系炭化水素（エクソン化学社製、商品名：エスコレッツ５３００等）、ポリテルペン樹脂、石油樹脂、フェノール樹脂の粘着付与剤；流動パラフィン、ポリブテン、液状ポリイソブチレン、動植物油等の軟化剤；酸化亜鉛、酸化チタン等の充填剤；ブチルヒドロキシトルエン等の抗酸化剤；クロタミトン、ポリエチレングリコール（マクロゴール各種を含む）、１，３−ブチレングリコール、プロピレングリコール等の溶解剤等が挙げられる。また必要に応じて、薬剤の皮膚透過性を向上させるために感圧性接着剤中に吸収促進剤を含有してもよく、このような吸収促進剤としては、例えば、ミリスチン酸イソプロピル、セバシン酸ジエチル、炭酸プロピレン、オレイン酸ソルビタン、クロタミトン、L−メントール、ハッカ油、N-メチル−２−ピロリドン、dl−カンフル、ソルビタンモノラウレート、オレイルリン酸ナトリウム、ラウリル硫酸ナトリウム、オクチルフェニルエーテル、ラウリルエーテル、ソルビタンモノラウレート、ラウロイルジエタノールアミド、ラウロイルサルコシン、オレオイルサルコシンシュガーエステル等が挙げられる。その他、色素、香料、清涼剤、紫外線吸収剤、界面活性剤、安定化剤、充填剤、抗酸化剤、ｐＨ調整剤等の貼付剤を処方するうえで通常使用される各種添加物を、貼付剤の目的に応じて感圧性接着剤中に１種または２種以上適宜配合してもよい。
【００１６】
粘着層には薬物を配合することができる。配合される薬物としては、経皮吸収可能な薬物であれば特に制限はなく、全身性又は局所性の経皮吸収性薬物であればいずれでもよい。例えば全身性の薬物としては、抗炎症剤（ステロイド又は非ステロイド系の抗炎症剤、麻薬性鎮痛剤、催眠鎮静剤、ステロイド剤、精神安定剤、抗高血圧剤、降圧利尿剤、抗生物質、全身麻酔剤、抗菌剤、抗真菌剤、冠血管拡張剤、抗ヒスタミン剤、鎮該剤、性ホルモン剤、抗うつ剤、脳循環改善剤、抗腫瘍剤、局所麻酔剤、殺菌消毒剤、副腎皮質ホルモン剤、禁煙補助剤、認知症治療剤等が挙げられる。配合量としては、０．００１〜２０質量％の範囲内にて適宜処方される。
より具体的なものとしては、コルチゾン、ハイドロコルチゾン、プレドニゾロン、メチルプレドノゾロン、トリアムシノロン、デキサメタゾン、ベタメタゾン、パラメタゾン等のステロイド系抗炎症剤；サリチル酸メチル、サリチル酸グリコール、インドメタシン、ジクロフェナック、フルルビプロフェン、ケトプロフェン、フェルビナク、ロキソプロフェン等の非ステロイド系抗炎症剤；フェンタニル、ブプレノルフィン等の麻薬性鎮痛剤；ニトログリセリン、イソソルビド等の狭心症薬；ツロブテロール等の気管支拡張薬；リドカイン等の経皮帯状疱疹後疼痛治療剤；ニコチンなどの禁煙治療補助剤；ベルゴリド等の抗パーキンソン剤；オキシブチニン等の尿失禁・頻尿治療剤；クロニジン等の抗高血圧剤；塩酸ドネペジル（商品名アリセプト）、リバスチグミン（商品名エクセロン）、イスプロニクリン、塩酸メマンチン、臭化水素酸ガランタミン、レコゾタン塩酸塩等の認知症治療剤が好ましい。ここに挙げている薬物については、無機塩（塩酸、硫酸塩、硝酸塩、ナトリウム、カリウム、カルシウム等)又は有機塩（クエン酸、フマル酸、酒石酸、メシル酸、酢酸等）等の薬学的に許容される付加塩を形成しうる薬物も含まれる。
これらの薬物のなかでも、特にサリチル酸メチル、サリチル酸グリコール、インドメタシン、ジクロフェナック又はその塩、フルルビプロフェン、ケトプロフェン、フェルビナク、ロキソプロフェン又はその塩等の非ステロイド系抗炎症剤が好ましい。配合量としては、０．１〜２０質量％、好ましくは０．３〜１０質量％配合するのが望ましい。
また、ハッカ油、メントール又はメントール類縁化合物を、薬効補助剤又は清涼剤として配合してもよい。あるいはトウガラシ、トウガラシエキス、カプサイシン、ノナン酸バニリルアミド、ニコチン酸ベンジルエステル等の温感刺激薬を配合してもよい。
【００１７】
粘着層の厚み（塗工厚）は、１０〜４００μｍが好ましい。粘着層の厚みが４００μｍを超えると感圧性接着剤に含まれる薬剤の放出性が悪くなる傾向にあり、他方、１０μｍ未満では皮膚への接着性が劣り、剥がれの原因となる傾向にあるからである。
【００１８】
貼付剤は、その角が円弧状に切断されていることが好ましい。貼付剤は、一旦一部がめくれ剥がれてしまうと、その部分に皮膚の角層やほこりが付着し再度貼付することは難しい。特に、貼付剤の形状が長方形である場合は、角が衣類等に引っかかり、真っ先にめくれて剥がれやすい傾向にある。そこで、貼付剤の角を円弧状にし、衣類等に引っかかりにくくすることが好ましく、それによって剥離の発生がより十分に防止される傾向にある。さらに、貼付剤においてその角を円弧状にする場合、円弧は曲率半径が５ｍｍ以上であることが好ましい。この半径が５ｍｍ未満の場合は、貼付時の剥がれの低減が十分に達成されない傾向にあるからである。
【００１９】
本発明の貼付剤は、プラスター剤（硬膏剤）等の皮膚に適用する外用剤の他、テープ剤、ドレッシング、冷却シート、化粧用シート等に適用することができる。
【００２０】
本発明の請求項２に記載の貼付剤は、支持体と、前記支持体の一面に積層された粘着層と、前記粘着層に剥離可能に付着された剥離シートと、前記剥離シートの一方の縁部からこれに対向する他方の縁部に延びる第一切れ目と、前記第一切れ目と間隔をあけて前記剥離シートの一方の縁部からこれに対向する他方の縁部に延びる第二切れ目と、を備えた貼付剤であって、前記剥離シートが、前記第一切れ目の左側と前記第二切れ目の右側に切り込み線により形成される指の一部を掛ける指掛け孔を備えた構成を有している。
この構成により、請求項１で得られる作用に加え、以下のような作用が得られる。
（１）まず、第一切れ目と第二切れ目の間の剥離シートを剥がして粘着層を露出させ、この粘着層を患部に貼付して予備的に固定させ、次に、指掛け孔を利用して残りの剥離シートを摘んで剥がし粘着層の全面を患部に貼付させることができる。このように、剥離シートが間隔をあけて形成された第一切れ目と第二切れ目を有しており、粘着層の一部を患部に貼着して予備的に固定させることができるため、貼付部位が悪ければ予備的な固定の段階で貼り直すことができ、確実に患部の所望する部位に貼付することができる。
（２）粘着層の全面を貼付する前に患部に粘着層の一部を貼付し固定できるので、残りの剥離シートを引き剥がす際にずれ難く、片手でも簡単に皺なく綺麗に貼付できる。
【００２１】
ここで、支持体、粘着層、剥離シート、切り込み線、指掛け孔としては、請求項１で説明したものと同様なので、説明を省略する。また、第一切れ目、第二切れ目としては、請求項１で説明した切れ目と同様なので、説明を省略する。
【００２２】
第一切れ目と第二切れ目は、第一切れ目と第二切れ目の全長に亘って間隔を実質的に等しく形成するのが好ましい。全長に亘って間隔が実質的に等しいというのは、第一切れ目と第二切れ目が波線状や鋸歯状等に形成されている場合、波線や鋸歯の振幅を二等分する中心線同士の間隔が全長に亘って等しいことを意味する。これにより、剥離シートを剥がす際に支持体が捻れ難いため、支持体を患部に皺なく綺麗に貼付することができる。
第一切れ目と第二切れ目の間隔としては、最短距離で１０〜３０ｍｍが好適に用いられる。これにより、第一切れ目と第二切れ目に挟まれた剥離シートを剥がして患部に貼付し予備的に固定させたときの粘着力を確保し、支持体を皺なく綺麗に貼付することができるとともに、予備的な固定の際に貼り直すこともできる。
【００２３】
本発明の請求項３に記載の発明は、請求項１又は２に記載の貼付剤であって、前記切り込み線が、前記切れ目，前記第一切れ目，前記第二切れ目と間隔をあけて形成された主切り込み部と、前記主切り込み部から前記切れ目，前記第一切れ目，前記第二切れ目の方向に延設された切れ目側延設部と、を備えた構成を有している。
この構成により、請求項１又は２で得られる作用に加え、以下のような作用が得られる。
（１）切り込み線が主切り込み部と切れ目側延設部とを備えているので、支持体側から切り込み線を押し上げて、主切り込み部と切れ目側延設部により形成された切り込み線の舌片を大きく立ち上げ、切り込み線を大きく開口させて大きな指掛け孔を形成できる。このため、指掛け孔にしっかりと指を掛けて剥離シートを把持して簡単に剥がすことができる。
（２）立ち上げた切り込み線の舌片を剥離シートの切れ目側に折り返すと、切れ目に沿って浮き上がらせた剥離シートと折り返した舌片とを重ねて厚さを増やすことができるので、指掛け孔に指を掛けて折り返した舌片が重なった部分を摘めば、指先の力が弱った高齢者でも摘んだ指の間から剥離シートが滑り抜け難くなるため、剥離シートを簡単に剥がすことができる。
（３）立ち上げた切り込み線の舌片を折り曲げておくと、剥離シートをテーブル等の上に置いたり床に落としたりしたときでも簡単に拾い上げることができる。剥離シートは薄くてすべすべしているため、テーブル等の面に密着して拾い上げるのに苦労するが、折り曲げた舌片を下にして剥離シートがテーブル等の上にあるときは、剥離シートとテーブル等との間に隙間があるため剥離シートがテーブル等に密着せず拾い上げるのが容易で、折り曲げた舌片を上にして剥離シートがテーブル等の上にあるときは、折り曲げた舌片を摘めば拾い上げることができるからである。
【００２４】
ここで、主切り込み部としては、直線状、波線状、鋸歯状、略山形状等に形成されたものが用いられる。
切れ目側延設部としては、主切り込み部の末端から延設されたもの、主切り込み部の線上から分岐状に延設されたもののいずれも用いることができ、切り込み線の全体形状を、略円弧状、半楕円状、十字状、放射状、Ｔ字状、略Ｈ状、略Ｉ状、略コ字状、山形状等に形成させるものが用いられる。
【００２５】
切れ目が形成された剥離シートの縁部と直交方向における主切り込み部と切れ目側延設部とを有する切り込み線の幅（縦方向の幅）（後述する寸法Ｃ）としては、５〜３０ｍｍ、好ましくは７〜２５ｍｍ、より好ましくは１０〜２０ｍｍが好適である。貼付剤の縦の長さ（剥離シートの対向する縁部間の距離）との比率に換算すると、切り込み線の幅（縦方向の幅）（寸法Ｃ）は、剥離シートの対向する縁部間の長さの１／１４〜６／７、好ましくは１／１０〜５／１４、より好ましくは１／７〜３／７が好適である。
また、剥離シートの該縁部と平行方向における該切り込み線の幅（横方向の幅）（後述する寸法Ｂ）としては、５〜５０ｍｍ、好ましくは１０〜３５ｍｍ、より好ましくは１２〜２５ｍｍが好適である。貼付剤の横幅（剥離シートの縁部の長さ）との比率に換算すると、切り込み線の幅（横方向の幅）（寸法Ｂ）は、貼付剤の横幅の１／２０〜３／１０、好ましくは１／１０〜１／４、より好ましくは３／２５〜１／５が好適である。
切り込み線の縦方向の幅（寸法Ｃ）が１０ｍｍより短くなるか該比率が１／７より小さくなるにつれ、指掛け孔に指を掛け難くなって剥離シートを剥がし難くなる傾向がみられ、２０ｍｍより長くなるか該比率が３／７より大きくなるにつれ、指掛け孔から露出する粘着層の面積が大きくなるため、貼付する際に粘着層同士が粘着し絡まり易くなる傾向がみられる。特に、５ｍｍ未満になるか該比率が１／１４未満になる、３０ｍｍを超えるか該比率が６／７を超えると、これらの傾向が著しくなるため好ましくない。
また、切り込み線の横方向の幅（寸法Ｂ）が１２ｍｍより短くなるか該比率が３／２５より小さくなるにつれ、指掛け孔に指を掛け難くなって剥離シートを剥がし難くなる傾向がみられ、２５ｍｍより長くなるか該比率が１／５より大きくなるにつれ、指掛け孔から露出する粘着層の面積が大きくなるため、貼付する際に粘着層同士が粘着し支持体が絡まり易くなる傾向がみられる。特に、５ｍｍ未満になるか該比率が１／２０未満になる、５０ｍｍを超えるか該比率が３／１０を超えると、これらの傾向が著しくなるため好ましくない。
【００２６】
本発明の請求項４に記載の発明は、請求項３に記載の貼付剤であって、前記切り込み線が、前記主切り込み部から前記切れ目，前記第一切れ目，前記第二切れ目の反対側に延設された外側延設部を備えた構成を有している。
この構成により、請求項３で得られる作用に加え、以下のような作用が得られる。
（１）主切り込み部に延設された外側延設部を備えているので、切り込み線が大きく開き指掛け孔が大きく開口するため、指掛け孔に指を挿入するようにして指を掛けて剥離シートを把持して簡単に剥がすことができる。
【００２７】
ここで、外側延設部としては、主切り込み部の末端から延設されたもの、主切り込み部の線上から分岐状に延設されたもののいずれも用いることができ、切り込み線の全体形状を、十字状、放射状、Ｔ状、Ｙ状、略Ｈ状、略Ｉ状等に形成させるものが用いられる。
【００２８】
本発明の請求項５に記載の発明は、請求項３又は４に記載の貼付剤であって、前記切り込み線が、前記切れ目側延設部の末端から前記切れ目，前記第一切れ目，前記第二切れ目と略平行方向に延設された平行切り込み部を備えた構成を有している。
この構成により、請求項３又は４で得られる作用に加え、以下のような作用が得られる。
（１）切れ目側延設部の末端から切れ目等と略平行方向に延設された平行切り込み部を備えているので、切り込み線で形成された舌片を立ち上げたときや摘んだときに切れ目側延設部から切れ目に向かって剥離シートに裂け目が生じるのを防止することができ、剥離シートが裂けて切り込み線が切れ目と繋がってしまうのを防止できる。切り込み線が切れ目と繋がってしまうと、指掛け孔に指を掛けて剥離シートを剥がすことが困難になるからである。
【００２９】
本発明の請求項６に記載の発明は、請求項３乃至５の内いずれか１に記載の貼付剤であって、前記剥離シートが、前記切れ目側延設部又は前記平行切り込み部に延設された折り線を備えた構成を有している。
この構成により、請求項３乃至５の内いずれか１で得られる作用に加え、以下のような作用が得られる。
（１）切れ目側延設部又は平行切り込み部に延設された折り線を備えているので、立ち上げた切り込み線の舌片を折り線で簡単に折り曲げたり折り返したりすることができ、舌片が粘着層に再付着することが防止される。このため、一連の剥離動作をスムーズに行うことができ取扱性に著しく優れる。
【００３０】
ここで、折り線としては、ミシン目等の弱化線が用いられる。弱化線は剥離シートを切断することを目的としたものではないため、ミシン目を構成している各切込みは剥離シートを貫通している必要はなく、剥離シートを薄肉にするものでもよい。さらに弱化線は、剥離シートの折り曲げを容易に行うことができれば良いため、ミシン目に限定する必要はなく、溝や切れ線、加熱して剥離シートを劣化させた線等、種々の形態が考えられる。
【００３１】
本発明の請求項７に記載の発明は、請求項１乃至６の内いずれか１に記載の貼付剤であって、前記粘着層が、経皮吸収性薬物を含有した構成を有している。
この構成により、請求項１乃至６の内いずれか１で得られる作用に加え、以下のような作用が得られる。
（１）粘着層に経皮吸収性薬物を含有させることにより、持続的かつコントロール制御を行いながら、一定用量の有効成分を皮膚より経皮吸収させることができる。しかも血中における薬物濃度が一定に長時間にわたり維持され、経口剤のように胃や腸などの消化管や肝臓などに負担をかけることなく副作用の軽減を図ることができる。
（２）高齢者や小児に対しても投与可能であり、安全性かつ有効な治療効果を期待できる。
（３）貼付剤とすることにより、薬剤の使用状況が一目で確認することが出来るため、介護者にとっても服薬順守状況の把握が容易になるなどのメリットが期待できる。
【００３２】
経皮吸収性薬物の具体的な内容は請求項１で説明したので、ここでの説明は省略する。
【００３３】
本発明の請求項８に記載の発明は、請求項７に記載の貼付剤であって、前記経皮吸収性薬物が、抗炎症剤である構成を有している。
この構成により、請求項７で得られる作用に加え、以下のような作用が得られる。
（１）抗炎症剤の薬効成分が皮膚より経皮吸収され、炎症を起こしている筋肉や関節に直接作用するために、肩こり、腰痛、関節痛、筋肉痛、打撲、捻挫、腱鞘炎、肘の痛みなどにおいて効果を期待できる。
【００３４】
抗炎症剤としては、ステロイド系抗炎症剤、非ステロイド系抗炎症剤のいずれも用いることができる。これら抗炎症剤の具体的な内容は請求項１で説明したので、ここでの説明は省略する。
【００３５】
本発明の請求項９に記載の発明は、請求項７に記載の貼付剤であって、前記経皮吸収性薬物が、認知症治療剤である構成を有している。
この構成により、請求項７で得られる作用に加え、以下のような作用が得られる。
（１）従来、経口剤として用いられてきた認知症治療剤を、経皮吸収を目的とした貼付剤とすることにより、薬効成分である認知症治療剤を安全かつ効果的に皮膚を通じて生体内に移行させることができる。また、長時間にわたり治療効果を維持することが可能となる。
【００３６】
認知症治療剤の具体的な内容は請求項１で説明したので、ここでの説明は省略する。
【発明の効果】
【００３７】
以上のように、本発明の貼付剤によれば、以下のような有利な効果が得られる。
請求項１に記載の発明によれば、
（１）剥離シートが切れ目の左右に切り込み線により形成される指の一部を掛ける指掛け孔を備えているので、切れ目に沿って浮き上がらせた剥離シートと粘着層の間に指を潜り込ませて指掛け孔に指を掛け、別の指で剥離シートを挟むようにして反対側から指掛け孔に指を掛けると、指同士が指掛け孔を通して接触するので、しっかりと剥離シートを摘むことができ、指が滑り難くなるため、剥離シートを簡単に剥がすことができ剥離作業性に優れた貼付剤を提供できる。
（２）粘着層に面した剥離シートの面は、シリコンコーティング等の剥離処理がなされており、さらに粘着層の基剤成分の影響により非常に滑り易くなっているが、指掛け孔を通して剥離シートを摘んだ指同士を接触させられるので、滑ることなく剥離シートをしっかりと摘んで剥がすことができ剥離作業性に優れた貼付剤を提供できる。
（３）切り込み線が略円弧状、略コ字状、十字状等に形成されている場合は、切り込み線で作られる舌片の押し上げ量を大きくできるため、舌片を立ち上げて折り曲げることで切り込み線を大きく開口させて大きな指掛け孔を形成することができ、指掛け孔にしっかりと指を掛けて剥離シートを把持して簡単に剥がすことができる剥離作業性に優れた貼付剤を提供できる。
（４）使用前には切り込み線の舌片は粘着層に付着しており突出していないため、製造面からいえば、剥離シートに切れ目及び切り込み線を形成するだけでよいため、既存の生産設備や材料を活用することができ、新たな設備投資等をほとんど必要としない貼付剤を提供できる。また、剥離シートに突出した部分がないため、製造ラインを搬送されるときや貼付剤を包装用袋に収容するとき等、装置や包装用袋の縁に引っ掛かることがなく、使用前に剥離シートが剥がれたり剥離シートが剥がれて露出した粘着層が付着したりする等の問題が生じ難く、製造ラインが停止したり不良品が発生したりするという問題が生じることがなく、生産性に著しく優れた貼付剤を提供できる。
（５）使用前には切り込み線の舌片は粘着層に付着しており突出していないため、使用時に包装用袋から取り出す際に包装用袋の縁に引っ掛かることがなく、スムーズに取り出せるため取扱性に優れた貼付剤を提供できる。
【００３８】
請求項２に記載の発明によれば、請求項１の効果に加え、
（１）剥離シートが間隔をあけて形成された第一切れ目と第二切れ目を有しており、粘着層の一部を患部に貼着して予備的に固定させることができるため、貼付部位が悪ければ予備的な固定の段階で貼り直すことができ、確実に患部の所望する部位に貼付することができる使用性に優れた貼付剤を提供できる。
（２）粘着層の全面を貼付する前に患部に粘着層の一部を貼付し固定できるので、残りの剥離シートを引き剥がす際にずれ難く、片手でも簡単に皺なく綺麗に貼付できる貼付剤を提供できる。
【００３９】
請求項３に記載の発明によれば、請求項１又は２の効果に加え、
（１）切り込み線が主切り込み部と切れ目側延設部とを備えているので、支持体側から切り込み線を押し上げて、主切り込み部と切れ目側延設部により形成された切り込み線の舌片を大きく立ち上げ、切り込み線を大きく開口させて大きな指掛け孔を形成することができる。このため、指掛け孔にしっかりと指を掛けて剥離シートを把持して簡単に剥がすことができる貼付剤を提供できる。
（２）立ち上げた切り込み線の舌片を剥離シートの切れ目側に折り返すと、切れ目に沿って浮き上がらせた剥離シートと折り返した舌片とを重ねて厚さを増やすことができるので、指掛け孔に指を掛けて折り返した舌片が重なった部分を摘めば、指先の力が弱った高齢者でも摘んだ指の間から剥離シートが滑り抜け難くなるため、剥離シートを簡単に剥がすことができる貼付剤を提供できる。
（３）立ち上げた切り込み線の舌片を折り曲げておくと、剥離シートをテーブル等の上に置いたり床に落としたりしたときでも簡単に拾い上げることができる貼付剤を提供できる。
【００４０】
請求項４に記載の発明によれば、請求項３の効果に加え、
（１）主切り込み部に延設された外側延設部を備えているので、切り込み線が大きく開き指掛け孔が大きく開口するため、指掛け孔に指を挿入するようにして指を掛けて剥離シートを把持して簡単に剥がすことができる貼付剤を提供できる。
【００４１】
請求項５に記載の発明によれば、請求項３又は４の効果に加え、
（１）切れ目側延設部の末端から切れ目等と略平行方向に延設された平行切り込み部を備えているので、切り込み線の舌片を立ち上げたときや摘んだときに切れ目側延設部から切れ目に向かって剥離シートに裂け目が生じるのを防止することができ、剥離シートが裂けて切り込み線が切れ目と繋がってしまうのを防止できる貼付剤を提供できる。
【００４２】
請求項６に記載の発明によれば、請求項３乃至５の内いずれか１の効果に加え、
（１）切れ目側延設部又は平行切り込み部に延設された折り線を備えているので、立ち上げた切り込み線の舌片を折り線で簡単に折り曲げたり折り返したりすることができ、舌片が粘着層に再付着することが防止される。このため、一連の剥離動作をスムーズに行うことができ取扱性に著しく優れた貼付剤を提供できる。
【００４３】
請求項７に記載の発明によれば、請求項１乃至６の内いずれか１の効果に加え、
（１）粘着層に経皮吸収性薬物を含有させることにより、持続的かつコントロール制御を行いながら、一定用量の有効成分を皮膚より経皮吸収させることができる。また、血中における薬物濃度が一定に長時間にわたり維持され、経口剤のように胃や腸などの消化管や肝臓などに負担をかけることなく副作用の軽減を図ることができる。また、高齢者や小児に対しても投与可能であり、安全性かつ有効な治療効果を期待でき、さらに薬剤の使用状況が一目で確認することが出来るため、介護者にとっても服薬順守状況の把握が容易になるなどのメリットが期待できる等の優れた作用効果を有する貼付剤を提供できる。
【００４４】
請求項８に記載の発明によれば、請求項７の効果に加え、
（１）抗炎症剤の薬効成分が皮膚より経皮吸収され、炎症を起こしている筋肉や関節に直接作用するために、肩こり、腰痛、関節痛、筋肉痛、打撲、捻挫、腱鞘炎、肘の痛みなどにおいて作用効果を有する貼付剤を提供できる。
【００４５】
請求項９に記載の発明によれば、請求項７の効果に加え、
（１）従来、経口剤として用いられてきた認知症治療剤を、経皮吸収を目的とした貼付剤とすることにより、薬効成分である認知症治療剤を安全かつ効果的に皮膚を通じて生体内に移行させることができる。また、長時間にわたり治療効果を維持することができる等の作用効果を有する貼付剤を提供できる。
【発明を実施するための最良の形態】
【００４６】
以下、本発明を実施するための最良の形態を、図面を参照しながら説明する。
（実施の形態１）
図１は本発明の実施の形態１における貼付剤の平面図であり、図２は実施の形態１における貼付剤の底面図であり、図３は実施の形態１における貼付剤の正面図であり、図４は実施の形態１における貼付剤の左側面図であり、図５は図１のＸ−Ｘ線における断面図である。
図中、１は実施の形態１における貼付剤、２は合成樹脂製フィルム，織布，編布，不織布等で形成された柔軟な支持体、３は感圧性接着剤を主成分とし支持体２の一面に積層された粘着層、４は合成樹脂製フィルムやシリコン加工紙等で形成され粘着層３の全面に付着された剥離シート、５は剥離シート４の一方の縁部、６は縁部５に対向する剥離シート４の他方の縁部、７は一方の縁部５から他方の縁部６に延びる波線状に形成され剥離シート４を二分する切れ目、８は二分された剥離シート４の切れ目７の左右の各々に縁部５，６からの距離がほぼ等しい位置に形成された切り込み線、９は切れ目７と間隔をあけて直線状に形成された切り込み線８の主切り込み部、１０は主切り込み部９の末端から切れ目７の方向に向かって円弧状に延設された切れ目側延設部、１１は切れ目部延設部１０の末端から切れ目７と略平行方向に内側に延設された平行切り込み部、１２は切り込み線８で切り込み線８の内側に形成された舌片、１３は切れ目７と切り込み線８との間の剥離シート４の縁部分である。
【００４７】
ここで、本実施の形態においては、剥離シート４の切れ目７から切り込み線８の末端（平行切り込み部１１）までの最短距離をＡとすると、Ａは２〜３０ｍｍ、好ましくは３〜２５ｍｍ、より好ましくは５〜２０ｍｍに形成されている。また、剥離シート４の縁部５，６の長さとの比率に換算すると、Ａは縁部５，６の長さの１／５０〜１／５、好ましくは３／１００〜３／２０、より好ましくは１／２０〜１／１０に形成されている。
また、剥離シート４の縁部５，６と平行方向における切り込み線８の幅（横方向の幅）をＢとすると、Ｂは５〜５０ｍｍ、好ましくは１０〜３５ｍｍ、より好ましくは１２〜２５ｍｍに形成されている。また、剥離シート４の縁部５，６の長さとの比率に換算すると、Ｂは縁部５，６の長さの１／２０〜３／１０、好ましくは１／１０〜１／４、より好ましくは３／２５〜１／５に形成されている。
また、剥離シート４の縁部５，６と直交方向における切り込み線８の幅（縦方向の幅）をＣとすると、Ｃは５〜３０ｍｍ、好ましくは７〜２５ｍｍ、より好ましくは１０〜２０ｍｍに形成されている。また、Ｃは、剥離シート４の対向する縁部５，６間の距離の１／１４〜６／７、好ましくは１／１０〜５／１４、より好ましくは１／７〜３／７に形成されている。
また、剥離シート４の縁部５，６から切り込み線８までの最短距離をＤとすると、Ｄは１０ｍｍ以上、好ましくは２０ｍｍ以上に形成されている。また、Ｄは、剥離シート４の対向する縁部５，６間の長さの１／７以上、好ましくは２／７以上に形成されている。
【００４８】
以上のように構成された本発明の実施の形態１における貼付剤１は、剥離シート４に感圧性接着剤を主成分とする粘着材を展延塗布した後、剥離シート４の粘着材の塗布面と支持体２とを貼り合せ、次に剥離シート４だけに切れ目７及び切り込み線８を形成することにより製造することができる。
【００４９】
次に、本発明の実施の形態１における貼付剤１の使用方法について、図面を参照しながら説明する。
図６は実施の形態１における貼付剤に指掛け孔を形成する状態を示す図であり、図７は実施の形態１における貼付剤の切り込み線で形成された舌片を折り曲げた状態を示す図であり、図８は実施の形態１における貼付剤の皮膚患部への貼付作業の一例を示す図である。
図中、１４は切り込み線８の舌片１２が支持体２側から押し上げられて形成された指掛け孔、１５は皮膚患部である。
はじめに貼付剤１を持ち、図６に示すように、二分された一方の剥離シート４の切り込み線８が形成されている部分を支持体２側から指で押し上げると、切り込み線８の舌片１２が押し上げられて粘着層３から剥がれ、切り込み線８が開口し指掛け孔１４が形成される。次いで、図７に示すように、舌片１２を摘んで平行切り込み部１１の位置で折り曲げ、指掛け孔１４を大きく開口させる。二分された他方の剥離シート４の切り込み線８についても同様にして、舌片１２を折り曲げて指掛け孔１４を形成しておく。
次に、貼付剤１を剥離シート４の切れ目７に沿ってわずかに屈曲させると、切れ目７が波線状に形成されているので、切れ目７に沿って剥離シート４の縁部分１３が粘着層３から浮き上がる。浮き上がらせた剥離シート４の縁部分１３と粘着層３の間に指を潜り込ませて剥離シート４の裏側から指掛け孔１４に指を掛け、別の指で剥離シート４の表側から折り曲げた舌片１２を縁部分１３に重ねるようにして指掛け孔１４に指を掛け、剥離シート４の表側と裏側の指同士を指掛け孔１４を通して合わせて剥離シート４を摘み、剥離シート４の一部を引き剥がして粘着層３の一部を露出させる。この露出させた粘着層３を皮膚患部１５に貼付する。
次に、図８に示すように、指を掛けた剥離シート４の指掛け孔１４を皮膚患部１５の面に沿ってスライドさせるようにして引張り、剥離シート４を徐々に剥がしながら貼付剤１に皺ができないように皮膚患部１５に貼付する。
次に、粘着層３に他方の剥離シート４が付着したままの貼付剤１をわずかに屈曲させて剥離シート４を反り返らせることにより、剥離シート４の切れ目７に沿った縁部分１３を粘着層３から浮き上がらせる。浮き上がらせた剥離シート４の縁部分１３と粘着層３の間に指を潜り込ませて剥離シート４の裏側から指掛け孔１４に指を掛け、別の指で剥離シート４の表側から折り曲げた舌片１２を縁部分１３に重ねるようにして指掛け孔１４に指を掛けて剥離シート４を摘む。摘んだ指掛け孔１４を皮膚患部１５の面に沿ってスライドさせるようにして引張り、剥離シート４を徐々に剥がしながら貼付剤１に皺ができないように皮膚患部１５に貼付する。
【００５０】
以上のように、本発明の実施の形態１における貼付剤は構成されているので、以下のような作用が得られる。
（１）剥離シート４が切れ目７の左右に切り込み線８により形成される指の一部を掛ける指掛け孔１４を備えているので、切り込み線８が形成されている部分を支持体２側から指で押し上げると、切り込み線８の舌片１２が押し上げられて粘着層３から剥がれ指掛け孔１４が開口する。切れ目７に沿って浮き上がらせた剥離シート４の縁部分１３と粘着層３の間に指を潜り込ませて指掛け孔１４に指を掛け、別の指で剥離シート４を挟むようにして反対側から指掛け孔１４に指を掛けると、指同士が指掛け孔１４を通して接触するので、しっかりと剥離シート４を摘むことができ、指が滑り難くなるため、剥離シート４を簡単に剥がすことができる。
（２）粘着層３に面した剥離シート４の面は、シリコンコーティング等の剥離処理がなされており、さらに粘着層３の基剤成分の影響により非常に滑り易くなっているが、指掛け孔１４を通して剥離シート４を摘んだ指同士を接触させられるので、滑ることなく剥離シート４をしっかりと摘んで剥がすことができる。
（３）使用前には切り込み線８の舌片１２は粘着層３に付着しており突出していないため、製造面からいえば、剥離シート４に切れ目７及び切り込み線８を形成するだけでよいため、既存の生産設備や材料を活用することができ、新たな設備投資等をほとんど必要としない。また、剥離シート４に突出した部分がないため、製造ラインを搬送されるときや貼付剤１を包装用袋に収容するとき等、装置や包装用袋の縁部分に引っ掛かることがなく、使用前に剥離シート４が剥がれたり剥離シート４が剥がれて露出した粘着層３が付着したりする等の問題が生じ難く、製造ラインが停止したり不良品が発生したりするという問題が生じることがなく、生産性に著しく優れる。
（４）使用前には切り込み線８の舌片１２は粘着層３に付着しており突出していないため、使用時に包装用袋から取り出す際に包装用袋の縁部分に引っ掛かることがなく、スムーズに取り出せるため取扱性に優れる。
（５）切り込み線８が主切り込み部９と切れ目側延設部１０とを備えているので、支持体２側から切り込み線８を押し上げて、主切り込み部９と切れ目側延設部１０により形成された切り込み線８の舌片１２を大きく立ち上げ、切り込み線８を大きく開口させて大きな指掛け孔１４を形成できる。このため、指掛け孔１４にしっかりと指を掛けて剥離シート４を把持して簡単に剥がすことができる。
（６）切れ目側延設部１０を備えているので、立ち上げた切り込み線８の舌片１２を剥離シート４の切れ目７側に折り返すことができ、切れ目７に沿って浮き上がらせた剥離シート４の縁部分１３と折り返した舌片１２とを重ねて厚さを増やすことができるので、指掛け孔１４に指を掛けて折り返した舌片１２が重なった縁部分１３を摘めば、指先の力が弱った高齢者でも摘んだ指の間から剥離シート４が滑り抜け難くなるため、剥離シート４を簡単に剥がすことができる。
（７）立ち上げた切り込み線８の舌片１２を折り曲げておくと、剥離シート４をテーブル等の上に置いたり床に落としたりしたときでも簡単に拾い上げることができる。
（８）切れ目側延設部１０の末端から切れ目７と略平行方向に延設された平行切り込み部１１を備えているので、切り込み線８の舌片１２を立ち上げたときや摘んだときに切れ目側延設部１０から切れ目７に向かって剥離シート４に裂け目が生じるのを防止することができ、剥離シート４が裂けて切り込み線８が切れ目７と繋がってしまうのを防止できる。切り込み線８が切れ目７と繋がってしまうと、指掛け孔１４に指を掛けて剥離シート４を剥がすことが困難になるからである。
（９）切れ目７から切り込み線８の末端（平行切り込み部１１）までの最短距離Ａが２〜３０ｍｍ、好ましくは３〜２５ｍｍ、より好ましくは５〜２０ｍｍに形成されている、または、縁部５，６の長さの１／５０〜１／５、好ましくは３／１００〜３／２０、より好ましくは１／２０〜１／１０に形成されているので、切り込み線８の舌片１２を立ち上げたときや摘んだときに切り込み線８の末端から切れ目７に向かって剥離シート４に裂け目が生じ難く、指掛け孔１４を確実に形成させることができる。
（１０）剥離シート４の縁部５，６と平行方向における切り込み線８の幅（横方向の幅）Ｂが５〜５０ｍｍ、好ましくは１０〜３５ｍｍ、より好ましくは１２〜２５ｍｍに形成されている、または、縁部５，６の長さの１／２０〜３／１０、好ましくは１／１０〜１／４、より好ましくは３／２５〜１／５に形成されているので、指掛け孔１４に指を掛け易いため剥離シート４を剥がし易く、また指掛け孔１４から露出する粘着層３の面積が大きくなり過ぎないため、貼付剤１を貼付する際に粘着層３同士が粘着して支持体２が絡まることがなく綺麗に貼付できる。
（１１）剥離シート４の縁部５，６と直交方向における切り込み線８の幅（縦方向の幅）Ｃが５〜３０ｍｍ、好ましくは７〜２５ｍｍ、より好ましくは１０〜２０ｍｍに形成されている、または、剥離シート４の対向する縁部５，６間の距離の１／１４〜６／７、好ましくは１／１０〜５／１４、より好ましくは１／７〜３／７に形成されているので、指掛け孔１４に指を掛け易いため剥離シート４を剥がし易く、また指掛け孔１４から露出する粘着層３の面積が大きくなり過ぎないため、貼付剤１を貼付する際に粘着層３同士が粘着して支持体２が絡まることがなく綺麗に貼付できる。
（１２）剥離シート４の縁部５，６から切り込み線８までの最短距離Ｄが１０ｍｍ以上好ましくは２０ｍｍ以上に形成されている、または、剥離シート４の対向する縁部５，６間の長さの１／７以上、好ましくは２／７以上に形成されているので、切り込み線８により形成される指掛け孔１４が大き過ぎないため、貼付剤１を貼付する際に粘着層３同士が粘着して支持体２が絡まることがなく綺麗に貼付できる。
【００５１】
ここで、本実施の形態においては、切れ目７が波線状に形成された場合について説明したが、直線状、鋸歯状等に形成されたものを用いる場合もある。この場合も同様の作用が得られる。
【００５２】
（実施の形態２）
図９は本発明の実施の形態２における貼付剤の平面図である。なお、実施の形態１で説明したものと同様のものは、同じ符号を付して説明を省略する。
また、これ以降に説明する実施の形態においては、切れ目や切り込み線等が形成された剥離シート以外は実施の形態１で説明したものと同様のものなので平面図だけを記載し、底面図、正面図、左側面図、断面図は省略する。
図中、１ａは本発明の実施の形態２における貼付剤、１６は切り込み線８の外側（切れ目７の反対側）の剥離シート４に一方の縁部５から他方の縁部６に延びて形成されたミシン目，溝，切れ線，加熱して剥離シート４を劣化させた線等の弱化線からなる折り線である。
【００５３】
実施の形態２における貼付剤１ａは、実施の形態１において説明したものと同様に使用することができる。
はじめに、切り込み線８の舌片１２を立ち上げることにより切り込み線８を開口させ指掛け孔１４を形成した後、指掛け孔１４に指を掛けて剥離シート４を切れ目７側から剥がしていく。折り線１６の位置まで剥離シート４を剥がしていくと、折り線１６の存在により剥離シート４は折り線１６に沿って折れ曲がり、折り曲げた剥離シート４が粘着層３に再付着することが防止される。次に、この状態で患部に貼付剤１ａを押し当てれば、粘着層３が露出状態を維持しているため、患部に貼付剤１ａを付着させ予備的に固定させることができる。そして、剥離シート４の指掛け孔１４を指で把持したまま引っ張るだけで剥離シート４は粘着層３から剥離し、同時に粘着層３全体を皮膚に付着させることができる。
【００５４】
以上のように、本発明の実施の形態２における貼付剤は構成されているので、実施の形態１に記載した作用に加え、以下のような作用が得られる。
（１）剥離シート４を切れ目７から剥がし、折り線１６で剥離シート４を折り曲げることで粘着層３の露出状態を維持できるため、粘着層３の一部を患部に貼着して予備的に固定させる場合や、片手で貼付剤１ａを貼付しなければならない場合等でも簡単に皺なく綺麗に貼付できる。
【００５５】
（実施の形態３）
図１０は本発明の実施の形態３における貼付剤の平面図である。なお、実施の形態１で説明したものと同様のものは、同じ符号を付して説明を省略する。
図中、１ｂは本発明の実施の形態３における貼付剤、８ｂは二分された剥離シート４の切れ目７の左右の各々に形成された切り込み線、９ｂは切れ目７と間隔をあけて波線状に形成された切り込み線８ｂの主切り込み部、１０ｂは主切り込み部９ｂの末端から切れ目７の方向に向かって円弧状に延設された切れ目側延設部、１１ｂは切れ目部延設部１０ａの末端から切れ目７と略平行方向に内側に延設された平行切り込み部、１２ｂは切り込み線８ｂの内側の舌片である。
実施の形態３における貼付剤１ｂが実施の形態１と異なる点は、切り込み線８ｂの主切り込み部９ｂが波線状に形成されている点である。
【００５６】
以上のように、本発明の実施の形態２における貼付剤は構成されているので、実施の形態１に記載した作用に加え、以下のような作用が得られる。
（１）切り込み線８ｂの主切り込み部９ｂが波線状に形成されているので、舌片１２ｂを立ち上げた際に、指先が舌片１２ｂの縁部で擦れても指先が切れたりすることがなく取扱性に優れる。
（２）主切り込み部９ｂが波線状に形成されているので、舌片１２ｂを立ち上げる際に貼付剤１ｂを主切り込み部９ｂに沿ってわずかに屈曲させると、主切り込み部９ｂに沿って舌片１２ｂが粘着層３から浮き上がるため、舌片１２ｂの立ち上げを容易に行うことができる。
【００５７】
（実施の形態４）
図１１は本発明の実施の形態４における貼付剤の平面図である。なお、実施の形態１又は３で説明したものと同様のものは、同じ符号を付して説明を省略する。
図中、１ｃは本発明の実施の形態４における貼付剤、１７は平行切り込み部１１ｂに延設され平行切り込み部１１ｂ，１１ｂ間を繋ぐ折り線である。折り線１７はミシン目，溝，切れ線，加熱して剥離シート４を劣化させた線等の弱化線により形成されている。
【００５８】
以上のように、実施の形態４における貼付剤は構成されているので、実施の形態１に記載した作用に加え、以下のような作用が得られる。
（１）平行切り込み部１１ｂに延設された折り線１７を備えているので、舌片１２ｂを立ち上げた際に、折り線１７の存在により舌片１２ｂは折り線１７に沿って折れ曲がり、粘着層３に再付着することが防止されるため、指掛け孔が大きく開口した状態を維持させることができ、貼付や剥離シート４の後始末等を容易に行うことができる。
【００５９】
（実施の形態５）
図１２は本発明の実施の形態５における貼付剤の平面図である。なお、実施の形態１で説明したものと同様のものは、同じ符号を付して説明を省略する。
図中、１ｄは本発明の実施の形態５における貼付剤、８ｄは切れ目７の左右に各々に形成された切り込み線、９ｄは切れ目７と間隔をあけて緩やかに湾出した曲線状に形成された切り込み線８ｄの主切り込み部、１０ｄは主切り込み部９ｄの末端から切れ目７の方向に向かって直線状に延設された切れ目側延設部、１１ｄは切れ目部延設部１０ｄの末端から切れ目７と略平行方向に内側に延設された平行切り込み部、１２ｄは切り込み線８ｄの内側に切り込み線８ｄで形成された舌片である。
【００６０】
以上のように、実施の形態５における貼付剤は構成されているので、実施の形態１に記載した作用に加え、以下のような作用が得られる。
（１）切り込み線８ｄの主切り込み部９ｄが湾出した曲線状に形成されているので、舌片１２ｄを立ち上げる際、貼付剤１ｄを主切り込み部９ｄに沿ってわずかに屈曲させると、主切り込み部９ｄに沿って舌片１２ｄが粘着層３から浮き上がり易いため、舌片１２ｄの立ち上げを容易に行うことができる。
【００６１】
（実施の形態６）
図１３は本発明の実施の形態６における貼付剤の平面図である。なお、実施の形態１で説明したものと同様のものは、同じ符号を付して説明を省略する。
図中、１ｅは本発明の実施の形態６における貼付剤、７ｅは剥離シート４の縁部５から縁部６に延びる直線状に形成され剥離シート４を二分する切れ目、８ｅは切れ目７ｅの左右に各々に形成された切り込み線、９ｅは切れ目７ｅと間隔をあけて緩やかに湾出した曲線状に形成された切り込み線８ｅの主切り込み部、１０ｅは主切り込み部９ｅの末端から切れ目７ｅの方向に向かって円弧状に延設された切れ目側延設部、１２ｅは切り込み線８ｅの内側に形成された舌片である。
実施の形態６における貼付剤１ｅも、実施の形態１において説明したものと同様に使用することができ、実施の形態１に記載した作用と同様の作用が得られる。
【００６２】
（実施の形態７）
図１４は本発明の実施の形態７における貼付剤の平面図である。なお、実施の形態１又は６で説明したものと同様のものは、同じ符号を付して説明を省略する。
図中、１ｆは本発明の実施の形態７における貼付剤、８ｆは切れ目７ｅの左右に各々に形成された切り込み線、９ｆは切れ目７ｅと間隔をあけて凹状の曲線状に形成された切り込み線８ｆの主切り込み部、１２ｆは切り込み線８ｆの内側に形成された舌片、１８は主切り込み部９ｆの末端から切れ目７ｅと反対方向に向かって円弧状に延設された外側延設部である。
実施の形態７における貼付剤１ｆも、実施の形態１において説明したものと同様に、舌片１２ｆを立ち上げて指掛け孔を形成し、これに指を掛けて剥離シートを剥がすことができるため、実施の形態１に記載したのと同様の作用が得られる。
【００６３】
（実施の形態８）
図１５は本発明の実施の形態８における貼付剤の平面図である。なお、実施の形態１又は７で説明したものと同様のものは、同じ符号を付して説明を省略する。
図中、１ｇは本発明の実施の形態８における貼付剤、７ｇは剥離シート４の縁部５から縁部６に延びる波線状に形成され剥離シート４を二分する切れ目である。
実施の形態８における貼付剤１ｇの使用方法及び作用は、実施の形態７で説明したものと同様である。
【００６４】
（実施の形態９）
図１６は本発明の実施の形態９における貼付剤の平面図である。なお、実施の形態１又は６で説明したものと同様のものは、同じ符号を付して説明を省略する。
図中、１ｈは本発明の実施の形態９における貼付剤、８ｈは切れ目７ｅの左右に各々に形成された切り込み線、９ｈは切れ目７ｅと間隔をあけて直線状に形成された切り込み線８ｈの主切り込み部、１２ｈは切り込み線８ｈの内側に形成された舌片、１８ｈは主切り込み部９ｈの末端から屈曲して切れ目７ｅと反対方向に向かって拡開した直線状に延設された外側延設部である。
実施の形態９における貼付剤１ｈの使用方法及び作用は、実施の形態７で説明したものと同様である。
【００６５】
（実施の形態１０）
図１７は本発明の実施の形態１０における貼付剤の平面図である。なお、実施の形態１又は６で説明したものと同様のものは、同じ符号を付して説明を省略する。
図中、１ｉは本発明の実施の形態１０における貼付剤、８ｉは切れ目７ｅの左右に各々に形成された切り込み線、９ｉは切れ目７ｅと間隔をあけて直線状に形成された切り込み線８ｉの主切り込み部、１０ｉは主切り込み部９ｉの末端から屈曲して切れ目７ｅの方向に向かって拡開した直線状に延設された切れ目側延設部、１２ｉは切り込み線８ｉの内側に形成された舌片である。
実施の形態１０における貼付剤１ｉも、実施の形態１において説明したものと同様に使用することができ、実施の形態１に記載した作用と同様の作用が得られる。
【００６６】
（実施の形態１１）
図１８は本発明の実施の形態１１における貼付剤の平面図である。なお、実施の形態１又は６で説明したものと同様のものは、同じ符号を付して説明を省略する。
図中、１ｊは本発明の実施の形態１１における貼付剤、８ｊは二分された剥離シート４の切れ目７ｅの左右の各々に形成された切り込み線、９ｊは切れ目７ｅと間隔をあけて直線状に形成された切り込み線８ｊの主切り込み部、１０ｊは主切り込み部９ｊの末端から切れ目７ｅの方向に向かって円弧状に延設された切れ目側延設部、１１ｊは切れ目部延設部１０ｊの末端から切れ目７ｅと略平行方向に内側に延設された平行切り込み部、１２ｊは切り込み線８ｊの内側に形成された舌片である。
実施の形態１１における貼付剤１ｊも、実施の形態１において説明したものと同様に使用することができ、実施の形態１に記載した作用と同様の作用が得られる。
【００６７】
（実施の形態１２）
図１９は本発明の実施の形態１２における貼付剤の平面図である。なお、実施の形態１又は６で説明したものと同様のものは、同じ符号を付して説明を省略する。
図中、１ｋは本発明の実施の形態１２における貼付剤、８ｋは二分された剥離シート４の切れ目７ｅの左右の各々に形成された切り込み線、９ｋは切れ目７ｅと間隔をあけて曲線状に形成された切り込み線８ｋの主切り込み部、１０ｋは主切り込み部９ｋの末端から切れ目７ｅの方向に向かって円弧状に延設された切れ目側延設部、１７ｋは切れ目部延設部１０ｋの末端に切れ目７ｅと略平行に延設され切れ目部延設部１０ｋ，１０ｋ間を繋ぐ折り線である。折り線１７ｋはミシン目，溝，切れ線，加熱して剥離シート４を劣化させた線等の弱化線により形成されている。
実施の形態１２における貼付剤１ｋは、実施の形態１及び４において説明したものと同様に使用することができ、実施の形態１及び４に記載した作用と同様の作用が得られる。
【００６８】
（実施の形態１３）
図２０は本発明の実施の形態１３における貼付剤の平面図である。なお、実施の形態１又は６で説明したものと同様のものは、同じ符号を付して説明を省略する。
図中、１ｌは本発明の実施の形態１３における貼付剤、８ｌは切れ目７ｅの左右に各々に形成された切り込み線、９ｌは切れ目７ｅと間隔をあけて凹状の曲線状に形成された切り込み線８ｌの主切り込み部、１２ｌは切り込み線８ｌの内側に形成された舌片、１８ｌは主切り込み部９ｌの末端から切れ目７ｅと反対方向に向かって円弧状に延設された外側延設部、１９は外側延設部１８ｌの末端に切れ目７ｅと略平行に延設され外側延設部１８ｌ，１８ｌ間を繋ぐ折り線である。折り線１８ｌはミシン目，溝，切れ線，加熱して剥離シート４を劣化させた線等の弱化線により形成されている。
実施の形態１３における貼付剤１ｌも、実施の形態１において説明したものと同様に、舌片１２ｌを立ち上げて指掛け孔を形成し、これに指を掛けて剥離シートを剥がすことができるため、実施の形態１に記載したのと同様の作用が得られる。また、折り線１９が形成されているので、立ち上げた舌片１２ｌは折り線１９に沿って折れ曲がり、粘着層３に再付着することが防止されるため、指掛け孔が大きく開口した状態を維持させることができ、貼付や剥離シート４の後始末等を容易に行うことができる。
【００６９】
（実施の形態１４）
図２１は本発明の実施の形態１４における貼付剤の平面図である。なお、実施の形態１又は６で説明したものと同様のものは、同じ符号を付して説明を省略する。
図中、１ｍは本発明の実施の形態１４における貼付剤、８ｍは二分された剥離シート４の切れ目７ｅの左右の各々に形成された切り込み線、９ｍは切れ目７ｅと間隔をあけて直線状に形成された切り込み線８ｍの主切り込み部、１０ｍは主切り込み部９ｍの末端から切れ目７ｅの方向に向かって直線状の先窄まり状に延設された切れ目側延設部、１２ｍは切り込み線８ｍの内側に形成された舌片である。
実施の形態１４における貼付剤１ｍは、実施の形態１において説明したものと同様に使用することができ、実施の形態１に記載した作用と同様の作用が得られる。
【００７０】
（実施の形態１５）
図２２は本発明の実施の形態１５における貼付剤の平面図である。なお、実施の形態１又は６で説明したものと同様のものは、同じ符号を付して説明を省略する。
図中、１ｎは本発明の実施の形態１５における貼付剤、８ｎは切れ目７ｅの左右の各々に形成された切り込み線、９ｎは切れ目７ｅと間隔をあけて波線状に形成された切り込み線８ｎの主切り込み部、１０ｎは主切り込み部９ｎの末端から切れ目７ｅの方向に向かって直線状の先窄まり状に延設された切れ目側延設部、１２ｎは切り込み線８ｎの内側に形成された舌片、１７ｎは切れ目部延設部１０ｎの末端に切れ目７ｅと略平行に延設され切れ目部延設部１０ｎ，１０ｎ間を繋ぐミシン目，溝，切れ線，加熱して剥離シート４を劣化させた線等の弱化線により形成された折り線である。
実施の形態１５における貼付剤１ｎは、実施の形態１又は４において説明したものと同様に使用することができ、実施の形態１又は４に記載した作用と同様の作用が得られる。
【００７１】
（実施の形態１６）
図２３は本発明の実施の形態１６における貼付剤の平面図である。なお、実施の形態１又は６で説明したものと同様のものは、同じ符号を付して説明を省略する。
図中、１ｏは本発明の実施の形態１６における貼付剤、８ｏは切れ目７ｅの左右の各々に切れ目７ｅと略平行して直線状に形成された切り込み線、１３ｏは切り込み線８ｏと切れ目７ｅとの間の剥離シート４の縁部分である。
【００７２】
次に、実施の形態１６における貼付剤１ｏの使用方法について説明する。
貼付剤１ｏを手にとり、切れ目７ｅで二分された一方の剥離シート４の切り込み線８ｏが形成されている部分を支持体２側から指で押し上げると、剥離シート４の縁部分１３ｏが押し上げられて粘着層から剥がれて浮き上がり、切り込み線８ｏが開口し指掛け孔が形成される。次に、縁部分１３ｏを浮き上がらせて形成した指掛け孔に剥離シート４の表側から指を掛け、剥離シート４の裏側から別の指を潜り込ませて指掛け孔に指を掛け、剥離シート４の表側と裏側の指同士を指掛け孔を通して合わせて剥離シート４を摘み、剥離シート４の一部を引き剥がして粘着層を露出させ、皮膚患部に貼付する。他方の剥離シート４も同様にして剥離し、粘着層を露出させて皮膚患部に貼付する。
実施の形態１６における貼付剤１ｏは以上のように構成されているので、実施の形態１で説明したものと同様の作用が得られる。
【００７３】
（実施の形態１７）
図２４は本発明の実施の形態１７における貼付剤の平面図である。なお、実施の形態１で説明したものと同様のものは、同じ符号を付して説明を省略する。
図中、１ｐは本発明の実施の形態１７における貼付剤、８ｐは切れ目７の左右の各々に切れ目７と実質的に略平行して波線状に形成された切り込み線、１３ｐは切り込み線８ｐと切れ目７との間の剥離シート４の縁部分である。
【００７４】
ここで、本実施の形態においては、剥離シート４の切れ目７から切り込み線８ｐまでの最短距離Ａは、２〜３０ｍｍ、好ましくは３〜２５ｍｍ、より好ましくは５〜２０ｍｍに形成されている。また、剥離シート４の縁部５，６の長さとの比率に換算すると、Ａは縁部５，６の長さの１／５０〜１／５、好ましくは３／１００〜３／２０、より好ましくは１／２０〜１／１０に形成されている。
また、剥離シート４の縁部５，６と直交方向における切り込み線８ｐの幅（縦方向の幅）Ｃは５〜３０ｍｍ、好ましくは７〜２５ｍｍ、より好ましくは１０〜２０ｍｍに形成されている。また、Ｃは、剥離シート４の対向する縁部５，６間の距離の１／１４〜６／７、好ましくは１／１０〜５／１４、より好ましくは１／７〜３／７に形成されている。
また、剥離シート４の縁部５，６から切り込み線８ｐまでの最短距離Ｄは１０ｍｍ以上、好ましくは２０ｍｍ以上に形成されている。また、Ｄは、剥離シート４の対向する縁部５，６間の長さの１／７以上、好ましくは２／７以上に形成されている。
【００７５】
実施の形態１７における貼付剤１ｐも、実施の形態１６において説明したものと同様に使用することができ、実施の形態１に記載した作用と同様の作用が得られる。
【００７６】
（実施の形態１８）
図２５は本発明の実施の形態１８における貼付剤の平面図である。なお、実施の形態１で説明したものと同様のものは、同じ符号を付して説明を省略する。
図中、１ｑは本発明の実施の形態１８における貼付剤、８ｑは切れ目７の左右の各々に切れ目７と実質的に略平行して波線状に形成された切り込み線、１３ｑは切り込み線８ｑと切れ目７との間の剥離シート４の縁部分である。
実施の形態１８における貼付剤１ｑも、実施の形態１６において説明したものと同様に使用することができ、実施の形態１に記載した作用と同様の作用が得られる。
【００７７】
（実施の形態１９）
図２６は本発明の実施の形態１９における貼付剤の平面図である。なお、実施の形態１で説明したものと同様のものは、同じ符号を付して説明を省略する。
図中、１ｒは実施の形態１９における貼付剤、８ｒは切れ目７の左右の各々に略Ｉ状に形成された切り込み線、９ｒは切れ目７と間隔をあけて切れ目７と実質的に平行な直線状に形成された切り込み線８ｒの主切り込み部、１０ｒは主切り込み部９ｒの末端から切れ目７の方向に向かって主切り込み部９ｒと略直交する直線状に延設された切れ目側延設部、１２ｒは切り込み線８ｒの内側に形成された舌片、１８ｒは主切り込み部９ｒの末端から切れ目７の反対方向に向かって主切り込み部９ｒと略直交する直線状に延設された外側延設部である。
ここで、本実施の形態においては、剥離シート４の切れ目７から切り込み線８ｒの末端（切れ目側延設部１０ｒ）までの最短距離をＡは、２〜３０ｍｍ、好ましくは３〜２５ｍｍ、より好ましくは５〜２０ｍｍに形成されている。また、剥離シート４の縁部５，６の長さとの比率に換算すると、Ａは縁部５，６の長さの１／５０〜１／５、好ましくは３／１００〜３／２０、より好ましくは１／２０〜１／１０に形成されている。
また、剥離シート４の縁部５，６と平行方向における切り込み線８ｒの幅（横方向の幅）Ｂは５〜５０ｍｍ、好ましくは１０〜３５ｍｍ、より好ましくは１２〜２５ｍｍに形成されている。また、剥離シート４の縁部５，６の長さとの比率に換算すると、Ｂは縁部５，６の長さの１／２０〜３／１０、好ましくは１／１０〜１／４、より好ましくは３／２５〜１／５に形成されている。
また、剥離シート４の縁部５，６と直交方向における切り込み線８ｒの幅（縦方向の幅）Ｃは５〜３０ｍｍ、好ましくは７〜２５ｍｍ、より好ましくは１０〜２０ｍｍに形成されている。また、Ｃは、剥離シート４の対向する縁部５，６間の距離の１／１４〜６／７、好ましくは１／１０〜５／１４、より好ましくは１／７〜３／７に形成されている。
また、剥離シート４の縁部５，６から切り込み線８ｒまでの最短距離Ｄは１０ｍｍ以上、好ましくは２０ｍｍ以上に形成されている。また、Ｄは、剥離シート４の対向する縁部５，６間の長さの１／７以上、好ましくは２／７以上に形成されている。
実施の形態１９における貼付剤１ｒは、実施の形態１において説明したものと同様に使用することができる。
【００７８】
以上のように、実施の形態１９における貼付剤は構成されているので、実施の形態１に記載した作用に加え、以下のような作用が得られる。
（１）主切り込み部９ｒに延設された外側延設部１８ｒを備えているので、切り込み線８ｒが大きく開き指掛け孔が大きく開口するため、指掛け孔に指を挿入するようにして指を掛けて剥離シート４を把持して簡単に剥がすことができる。
【００７９】
（実施の形態２０）
図２７は本発明の実施の形態２０における貼付剤の平面図である。なお、実施の形態１で説明したものと同様のものは、同じ符号を付して説明を省略する。
図中、１ｓは実施の形態２０における貼付剤、８ｓは切れ目７の左右の各々に略Ｈ状に形成された切り込み線、９ｓは切れ目７と間隔をあけて切れ目７と実質的に平行な直線状に形成された切り込み線８ｓの主切り込み部、１０ｓは主切り込み部９ｒの略中央から切れ目７の方向に向かって主切り込み部９ｓと略直交する直線状に延設された切れ目側延設部、１１ｓは切れ目部延設部１０ｓの末端から剥離シート４の縁部５，６に向かって切れ目７と実質的に略平行な直線状に形成された平行切り込み部である。
以上のように、実施の形態２０における貼付剤は構成されているので、実施の形態１９の貼付剤と同様の作用が得られる。
【００８０】
（実施の形態２１）
図２８は本発明の実施の形態２１における貼付剤の平面図である。なお、実施の形態１で説明したものと同様のものは、同じ符号を付して説明を省略する。
図中、１ｔは実施の形態２１における貼付剤、８ｔは切れ目７の左右の各々に略十字状に形成された切り込み線、９ｔは切れ目７と間隔をあけて切れ目７と実質的に平行な直線状に形成された切り込み線８ｔの主切り込み部、１０ｔは主切り込み部９ｔの略中央から切れ目７の方向に向かって主切り込み部９ｔと略直交する直線状に延設された切れ目側延設部、１８ｔは主切り込み部９ｔの略中央から切れ目７と反対方向に向かって主切り込み部９ｔと略直交する直線状に延設された外側延設部である。
以上のように、実施の形態２１における貼付剤は構成されているので、実施の形態１９の貼付剤と同様の作用が得られる。
【００８１】
（実施の形態２２）
図２９は本発明の実施の形態２２における貼付剤の平面図である。なお、実施の形態１で説明したものと同様のものは、同じ符号を付して説明を省略する。
図中、１ｕは実施の形態２２における貼付剤、８ｕは切れ目７の左右の各々に略Ｉ状に形成された切り込み線、９ｕは切れ目７と間隔をあけて切れ目７と実質的に平行な直線状に形成された切り込み線８ｕの主切り込み部、１０ｕは主切り込み部９ｕの両末端から切れ目７の方向に向かって拡開した直線状に延設された切れ目側延設部、１８ｕは主切り込み部９ｕの両末端から切れ目７と反対方向に向かって拡開した直線状に延設された外側延設部である。
以上のように、実施の形態２２における貼付剤は構成されているので、実施の形態１９の貼付剤と同様の作用が得られる。
【００８２】
（実施の形態２３）
図３０は本発明の実施の形態２３における貼付剤の平面図である。なお、実施の形態１で説明したものと同様のものは、同じ符号を付して説明を省略する。
図中、１ｖは実施の形態２３における貼付剤、８ｖは切れ目７の左右の各々に形成された切り込み線、９ｖは切れ目７と間隔をあけて緩やかな曲線状に形成された切り込み線８ｖの主切り込み部、１８ｖは主切り込み部９ｖの両末端から切れ目７の反対方向に向かって拡開した直線状に延設された外側延設部である。
以上のように、実施の形態２３における貼付剤は構成されているので、実施の形態７の貼付剤と同様の作用が得られる。
【００８３】
（実施の形態２４）
図３１は本発明の実施の形態２４における貼付剤の平面図である。なお、実施の形態１で説明したものと同様のものは、同じ符号を付して説明を省略する。
図中、１ｗは本発明の実施の形態２４における貼付剤、２０は剥離シート４の縁部５から対向する他方の縁部６に延びる直線状の第一切れ目、２１は第一切れ目２０と間隔をあけて略平行に剥離シート４の縁部５から縁部６に延びる第二切れ目、２２は第一切れ目２０と第二切れ目２１により分断された剥離シート４の帯部、８ｗは第一切れ目２０の左側と第二切れ目２１の右側に各々波線状に形成された切り込み線、１３ｗは切り込み線８ｗ，８ｗと第一切れ目２０，第二切れ目２１との間の剥離シート４の縁部分である。
本実施の形態においては、帯部２２の幅（第一切れ目２０と第二切れ目２１の間隔）は、最短距離で１０〜３０ｍｍに形成されている。
【００８４】
次に、実施の形態２４における貼付剤１ｗの使用方法について説明する。
まず、貼付剤１ｗの剥離シート４の帯部２２を指で摘み剥離する。次に、帯部２２の剥離によって露出した粘着層３を皮膚患部に貼付して貼付剤１ｗを予備的に固定する。
次に、実施の形態１６において説明したように、切り込み線８ｗが形成されている部分を支持体２側から指で押し上げると、縁部分１３ｗが粘着層から剥がれて押し上げられて浮き上がり、切り込み線８ｗが開口して指掛け孔が形成される。次に、指掛け孔に剥離シート４の表側から指を掛け、剥離シート４の裏側から別の指を潜り込ませて指掛け孔に指を掛け、剥離シート４の表側と裏側の指同士を指掛け孔を通して合わせて剥離シート４を摘み、剥離シート４を引き剥がして皮膚患部に貼付する。他方の剥離シート４も同様にして剥離し皮膚患部に貼付する。
【００８５】
以上のように、実施の形態２４における貼付剤は構成されているので、実施の形態１に記載した作用に加え、以下のような作用が得られる。
（１）間隔をあけて形成された第一切れ目２０と第二切れ目２１を有しているので、帯部２２の剥離によって露出した粘着層の一部を患部に貼着して予備的に固定させることができるため、貼付部位が悪ければ予備的な固定の段階で貼り直すことができ、確実に患部の所望する部位に貼付することができる。
（２）粘着層の全面を貼付する前に患部に粘着層の一部を貼付し固定できるので、残りの剥離シート４を引き剥がす際にずれ難く、片手でも簡単に皺なく綺麗に貼付できる。
【００８６】
（実施の形態２５）
図３２は本発明の実施の形態２５における貼付剤の平面図である。なお、実施の形態１、実施の形態２４で説明したものと同様のものは、同じ符号を付して説明を省略する。
図中、１ｘは本発明の実施の形態２５における貼付剤、２０ｘは剥離シート４の縁部５から対向する他方の縁部６に延びる波線状の第一切れ目、２１ｘは第一切れ目２１ｘと間隔をあけて実質的に略平行に剥離シート４の縁部５から縁部６に延びる波線状の第二切れ目である。
【００８７】
ここで、本実施の形態においては、剥離シート４の第一切れ目２０ｘ（又は第二切れ目２１ｘ）から切り込み線８ｗまでの最短距離Ａは、２〜３０ｍｍ、好ましくは３〜２５ｍｍ、より好ましくは５〜２０ｍｍに形成されている。また、剥離シート４の縁部５，６の長さとの比率に換算すると、Ａは縁部５，６の長さの１／５０〜１／５、好ましくは３／１００〜３／２０、より好ましくは１／２０〜１／１０に形成されている。
また、剥離シート４の縁部５，６と直交方向における切り込み線８ｗの幅（縦方向の幅）Ｃは５〜３０ｍｍ、好ましくは７〜２５ｍｍ、より好ましくは１０〜２０ｍｍに形成されている。また、Ｃは、剥離シート４の対向する縁部５，６間の距離の１／１４〜６／７、好ましくは１／１０〜５／１４、より好ましくは１／７〜３／７に形成されている。
また、剥離シート４の縁部５，６から切り込み線８ｗまでの最短距離Ｄは１０ｍｍ以上、好ましくは２０ｍｍ以上に形成されている。また、Ｄは、剥離シート４の対向する縁部５，６間の長さの１／７以上、好ましくは２／７以上に形成されている。
【００８８】
以上のように、実施の形態２５における貼付剤は構成されているので、実施の形態２５で説明した作用に加え、第一切れ目２０ｘと第二切れ目２１ｘが波線状に形成されているため、帯部２２の縁部分がめくり易くなり帯部２２の剥離を容易に行うことができるという作用が得られる。
【００８９】
（実施の形態２６）
図３３は本発明の実施の形態２６における貼付剤の平面図である。なお、実施の形態１又は２４で説明したものと同様のものは、同じ符号を付して説明を省略する。
図中、１ｙは本発明の実施の形態２６における貼付剤、８ｙは第一切れ目２０の左側と第二切れ目２１の右側の各々に形成された半円状の切り込み線、９ｙは第一切れ目２０と第二切れ目２１の各々と間隔をあけて緩やかに湾出した曲線状に形成された切り込み線８ｙの主切り込み部、１０ｙは主切り込み部９ｙの末端から第一切れ目２０又は第二切れ目２１の方向に向かって円弧状に延設された切れ目側延設部である。
実施の形態２６における貼付剤１ｙも、実施の形態２４において説明したものと同様に使用することができ、実施の形態２４及び実施の形態１で説明した作用と同様の作用が得られる。
【００９０】
（実施の形態２７）
図３４は本発明の実施の形態２７における貼付剤の平面図である。なお、実施の形態１，２４，２６で説明したものと同様のものは、同じ符号を付して説明を省略する。
図中、１ｚは本発明の実施の形態２７における貼付剤、１６ｚは切り込み線８ｙの外側（第一切れ目２０又は第二切れ目２１の反対側）の剥離シート４に一方の縁部５から他方の縁部６に延びて形成されたミシン目，溝，切れ線，加熱して剥離シート４を劣化させた線等の弱化線からなる折り線である。
実施の形態２７における貼付剤１ｚも、実施の形態２４において説明したものと同様に使用することができ、実施の形態２４及び実施の形態１で説明した作用と同様の作用が得られる。また、折り線１６ｚで剥離シート４を折り曲げることで粘着層３の露出状態を維持できるため、粘着層３の一部を患部に貼着して予備的に固定させる場合や、片手で貼付剤１ｚを貼付しなければならない場合等でも簡単に皺なく綺麗に貼付できる。
【００９１】
（実施の形態２８）
図３５は本発明の実施の形態２８における貼付剤の平面図である。
図中、１αは本発明の実施の形態２８における貼付剤である。その他は実施の形態１，２５，２６で説明したものと同様のものなので、同じ符号を付して説明を省略する。
実施の形態２８における貼付剤１αも、実施の形態２４において説明したものと同様に使用することができ、実施の形態２４及び実施の形態１で説明した作用と同様の作用が得られる。
【００９２】
（実施の形態２９）
図３６は本発明の実施の形態２９における貼付剤の平面図である。なお、実施の形態１，２４，２６で説明したものと同様のものは、同じ符号を付して説明を省略する。
図中、１βは本発明の実施の形態２９における貼付剤、１６βは切り込み線８ｙの外側（第一切れ目２０ｘ又は第二切れ目２１ｘの反対側）の剥離シート４に一方の縁部５から他方の縁部６に延びて形成されたミシン目，溝，切れ線，加熱して剥離シート４を劣化させた線等の弱化線からなる折り線である。
実施の形態２９における貼付剤１βも、実施の形態２４において説明したものと同様に使用することができ、実施の形態２４及び実施の形態１で説明した作用と同様の作用が得られる。また、折り線１６βで剥離シート４を折り曲げることで粘着層３の露出状態を維持できるため、粘着層３の一部を患部に貼着して予備的に固定させる場合や、片手で貼付剤１βを貼付しなければならない場合等でも簡単に皺なく綺麗に貼付できる。
【００９３】
（実施の形態３０）
図３７は本発明の実施の形態３０における貼付剤の平面図である。なお、実施の形態１又は２６で説明したものと同様のものは、同じ符号を付して説明を省略する。
図中、１γは本発明の実施の形態３０における貼付剤、７γは一方の縁部５から他方の縁部６に亘って大きく屈曲しながらＳ字状に形成されて剥離シート４を二分する切れ目である。
本実施の形態においては、切り込み線８ｙの剥離シート４の縁部５，６からの距離が等しくない点でこれまでの実施の形態とは異なるが、実施の形態１で説明した貼付剤と同様に使用することができ、同様の作用が得られる。
【００９４】
（実施の形態３１）
図３８は本発明の実施の形態３１における貼付剤の平面図である。なお、実施の形態１，２６，３０で説明したものと同様のものは、同じ符号を付して説明を省略する。
図中、１δは本発明の実施の形態３１における貼付剤、１６δは切り込み線８ｙの外側（切れ目７γの反対側）の剥離シート４に一方の縁部５から他方の縁部６に亘って形成されたミシン目，溝，切れ線，加熱して剥離シート４を劣化させた線等の弱化線からなる折り線である。
実施の形態３１における貼付剤１δは、実施の形態２で説明した貼付剤と同様に使用することができ、同様の作用が得られる。
【実施例】
【００９５】
以下、実施例を挙げて本発明を具体的に説明するが、本発明はこれらの実施例になんら制約されるものではない。
（試験例１）
実施例と比較例の貼付剤を作成し、貼付する際の「剥離シートの掴み易さ」、「貼付のし易さ」、「貼付後、剥がした剥離シートを平らなテーブルに置いたときの剥離シートの掴み易さ」について比較試験を行った。
（実施例１）
スチレン−イソプレン−スチレンブロック共重合体（以下、ＳＩＳと表記する）２０質量％、流動パラフィン５０質量％、ポリイソブチレン（以下、ＰＩＢと表記する）７質量％、アルコンＰ−１００を１５質量％及びブチルヒドロキシトルエン（以下、ＢＨＴと表記する）２質量％を加熱混合し、次にインドメタシン１質量％、Ｌ−メントール２質量％及びクロタミトン３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１（図１）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：５ｍｍ、Ｂ：１２ｍｍ、Ｃ：２０ｍｍ、Ｄ：２５ｍｍであった。
【００９６】
（実施例２）
ＳＩＳを２１質量％、流動パラフィン４９質量％、ＰＩＢを６質量％、アルコンＰ−１００を１２質量％及びＢＨＴを２質量％加熱混合し、次にフルルビプロフェン３質量％、Ｌ−メントール３質量％及びクロタミトン４質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１２（図１９）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：７ｍｍ、Ｂ：１５ｍｍ、Ｃ：１５ｍｍ、Ｄ：２７．５ｍｍであった。
【００９７】
（実施例３）
ＳＩＳを２０質量％、流動パラフィン５０質量％、ＰＩＢを７質量％、アルコンＰ−１００を１３質量％及びＢＨＴを２質量％加熱混合し、次にケトプロフェン３質量％、Ｌ−メントール２質量％及びクロタミトン３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態２８（図３５）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：１０ｍｍ、Ｂ：１０ｍｍ、Ｃ：２０ｍｍ、Ｄ：２５ｍｍであった。
【００９８】
（実施例４）
ＳＩＳを２０質量％、流動パラフィン５０質量％、ＰＩＢ７質量％、アルコンＰ−１００を１５質量％及びＢＨＴ２質量％を加熱混合し、次にフェルビナク１質量％、Ｌ−メントール２質量％及びクロタミトン３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１（図１）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：５ｍｍ、Ｂ：１２ｍｍ、Ｃ：２０ｍｍ、Ｄ：２５ｍｍであった。
【００９９】
（実施例５）
ＳＩＳを２４質量％、流動パラフィン５０質量％、ＰＩＢを６質量％、アルコンＰ−１００を１２質量％及びＢＨＴを２質量％加熱混合し、次にロキソプロフェンナトリウム３質量％、Ｌ−メントール３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１７（図２４）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ（波線状に形成された切れ目と、波線状に形成された切り込み線と、の波間の最短距離）：７ｍｍ、Ｃ：２０ｍｍ、Ｄ：２５ｍｍであった。
【０１００】
（実施例６）
ＳＩＳを２０質量％、流動パラフィン４８質量％、ＰＩＢ６質量％、アルコンＰ−１００を１５質量％及びＢＨＴ１質量％を加熱混合し、次にサリチル酸グリコール７質量％、Ｌ−メントール３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態２５（図３２）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ（波線状に形成された切れ目と、波線状に形成された切り込み線と、の波間の最短距離）：５ｍｍ、Ｃ：２５ｍｍ、Ｄ：２２.５ｍｍであった。
【０１０１】
（実施例７）
ＳＩＳを２１質量％、流動パラフィン４９質量％、ＰＩＢを７質量％、アルコンＰ−１００を１２質量％及びＢＨＴを２質量％加熱混合し、次にジクロフェナックナトリウム３質量％、Ｌ−メントール３質量％及びクロタミトン３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態６（図１３）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：７ｍｍ、Ｂ：１３ｍｍ、Ｃ：１５ｍｍ、Ｄ：２７．５ｍｍであった。
【０１０２】
（実施例８）
ＳＩＳを２１質量％、流動パラフィン４７質量％、ＰＩＢ８質量％、アルコンＰ−１００を１５質量％及びＢＨＴ１質量％を加熱混合し、次にロキソプロフェンナトリウム５質量％、Ｌ−メントール２質量％及びクロタミトン１質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１（図１）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：５ｍｍ、Ｂ：１２ｍｍ、Ｃ：２０ｍｍ、Ｄ：２５ｍｍであった。
【０１０３】
（実施例９）
ＳＩＳを２１質量％、流動パラフィン４９質量％、ＰＩＢを７質量％、アルコンＰ−１００を１２質量％及びＢＨＴを１質量％加熱混合し、次にフェルビナク３質量％、Ｌ−メントール３質量％及びポリエチレングリコール（マクロゴール１０００）４質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１２（図１９）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：７ｍｍ、Ｂ：１２ｍｍ、Ｃ：１６ｍｍ、Ｄ：２７ｍｍであった。
【０１０４】
（実施例１０）
ＳＩＳを１８．５質量％、流動パラフィン３０．５質量％、ＰＩＢを７．５質量％、アルコンＰ−１００を３２．５質量％及びＢＨＴを１質量％加熱混合し、次に塩酸ドネペジル３質量％、Ｌ−メントール１質量％及びポリエチレングリコール（マクロゴール１０００）５質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１２（図１９）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：５ｍｍ、Ｂ：１５ｍｍ、Ｃ：１８ｍｍ、Ｄ：２６ｍｍであった。
【０１０５】
（実施例１１）
ＳＩＳ２０質量％、流動パラフィン３５質量％、ＰＩＢ８質量％、アルコンＰ−１００を２９質量％及びＢＨＴ２質量％を加熱混合し、次にリバスチグミン１質量％、Ｌ−メントール２質量％及びクロタミトン３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１（図１）で説明した形状の切れ目及び切り込み線を剥離シートに形成し、貼付剤とした。なお、貼付剤の横幅は１００ｍｍ、縦の長さは７０ｍｍとした。また、切り込み線を特定する寸法は、Ａ：５ｍｍ、Ｂ：１２ｍｍ、Ｃ：２０ｍｍ、Ｄ：２５ｍｍであった。
【０１０６】
（比較例）
実施例１と同様に、ＳＩＳを２０質量％、流動パラフィン５０質量％、ＰＩＢを７質量％、アルコンＰ−１００を１５質量％及びＢＨＴを２質量％加熱混合し、次にインドメタシン１質量％、Ｌ−メントール２質量％及びクロタミトン３質量％を加え混練し均一な融解物を得た。ドクターナイフ展膏機を用いて、得られた融解物をシリコン処理されたポリエステルテレフタレートからなる剥離シート（厚さ７０μｍ）に１００ｇ／ｍ２で展延塗布した後、塗布面にポリエチレンテレフタレート製の不織布からなる支持体を貼り合わせた。次に、実施の形態１（図１）で説明した形状の切れ目のみ（切り込み線は設けない）を剥離シートに形成し、貼付剤とした。なお、貼付剤の横幅は１００ｍｍ、縦の長さは７０ｍｍとした。
【０１０７】
（剥離及び貼付試験）
４０〜７５歳の健康成人１０名（Ａ〜Ｊ）に実施例１〜１１及び比較例の貼付剤を貼付してもらい、貼付する際の「剥離シートの掴み易さ」、「貼付のし易さ」、「貼付後、剥がした剥離シートを平らなテーブルに置いたときの剥離シートの掴み易さ（片付け易さ）」について、比較例を基準にして以下の評価基準に従って採点してもらった。
評価基準は以下のとおりであった。
（１）剥離シートの掴み易さ
３：比較例に比べて非常に掴み易い、２：比較例に比べ掴み易い、１：比較例と同程度。
（２）貼付のし易さ
３：比較例に比べて非常に貼付し易い、２：比較例に比べ貼付し易い、１：比較例と同程度。
（３）テーブルに置いた剥離シートの掴み易さ（片付け易さ）
３：比較例に比べて非常に掴み易い、２：比較例に比べ掴み易い、１：比較例と同程度。
表１に、「剥離シートの掴み易さ（「掴み易さ」と表記）」、「貼付のし易さ（「貼付」と表記）」、「貼付後、剥がした剥離シートを平らなテーブルに置いたときの剥離シートの掴み易さ（「片付け」と表記）」についての、１０人の採点の平均値を示す。なお、比較例の採点は１のため、平均値が１より大きい値であれば、比較例より優れていることを示している。
【０１０８】
【表１】
2009022730.tif 000003
【０１０９】
以上のように本実施例によれば、剥離シートを非常に掴み易く支持体から容易に剥離することができ貼付し易く、さらに貼付後、剥がした剥離シートを平らなテーブルに置いたときの剥離シートも掴み易いため、後片付けも簡単にできることが明らかになった。
【０１１０】
（試験例２）
実施の形態１（図１）で説明した形状の貼付剤を実施例１と同様の方法で複数枚作成した。厚さ７０μｍの剥離シートに切り込み線を形成するときに、切り込み線を特定する寸法Ｂ：１０ｍｍ、Ｃ：２０ｍｍ、Ｄ：２５ｍｍは同じにして、寸法Ａだけを変えた貼付剤を各１０枚ずつ作成した。なお、寸法Ａは（１）１ｍｍ、（２）２ｍｍ、（３）３ｍｍ、（４）５ｍｍのものを作成した。また、貼付剤の横幅は１００ｍｍ、縦の長さは７０ｍｍとした。
作成した（１）〜（４）の各１０枚の貼付剤を上腕部に貼付する試験を行い、切り込み線から剥離シートの縁部分に裂け目が生じるかどうかを調べた。その結果は以下のとおりであった。
（１）の貼付剤：１０枚中６枚は剥離シートの縁部分が裂けて切断された。４枚は切り込み線からわずかに裂け目が生じた。
（２）の貼付剤：１０枚中２枚は剥離シートの縁部分が裂けて切断された。４枚は切り込み線からわずかに裂け目が生じた。２枚は切り込み線からの裂け目も生じなかった。
（３）の貼付剤：１０枚中３枚は切り込み線からわずかに裂け目が生じた。７枚は切り込み線からの裂け目も生じなかった。
（４）の貼付剤：１０枚中１枚は切り込み線からわずかに裂け目が生じた。９枚は切り込み線からの裂け目も生じなかった。
以上のように本試験例によれば、切れ目から切り込み線までの寸法Ａが５ｍｍ以上あれば、剥離シートの縁部分の強度も十分確保できることが明らかになった。
【０１１１】
（試験例３）
実施の形態１９（図２６）で説明した形状の貼付剤を実施例１と同様の方法で複数枚作成した。切り込み線を形成するときに、切り込み線を特定する寸法Ａ：５ｍｍ、Ｂ：２０ｍｍは同じにして、寸法Ｃ及びＤを変えた貼付剤を各５枚ずつ作成した。なお、寸法Ｃ及びＤは（１）６４ｍｍ及び３ｍｍ、（２）６０ｍｍ及び５ｍｍ、（３）５０ｍｍ及び１０ｍｍ、（４）４０ｍｍ及び１５ｍｍ、（５）２４ｍｍ及び２３ｍｍのものを作成した。また、貼付剤の横幅は１００ｍｍ、縦の長さは７０ｍｍとした。
作成した（１）〜（５）の各５枚の貼付剤を上腕部に貼付する試験を行い、綺麗に貼付できるかどかを調べた。その結果は以下のとおりであった。
（１）の貼付剤：５枚とも剥離シートが撓んで粘着層同士が貼り付き支持体が絡まり綺麗に貼付できなかった。
（２）の貼付剤：１枚は剥離シートが撓んで粘着層同士が貼り付き支持体が絡まり綺麗に貼付できなかった。４枚は時間を要したが何とか貼付することができた。
（３）の貼付剤：支持体に皺が生じたが、５枚とも貼付することができた。
（４）の貼付剤：支持体に若干皺が生じたが、５枚とも貼付することができた。
（５）の貼付剤：５枚ともスムーズに貼付することができた。
以上のように本試験例によれば、剥離シートの縁部から切り込み線までの寸法Ｄが２０ｍｍ以上あれば、皺なく綺麗に貼付できることが明らかになった。
【産業上の利用可能性】
【０１１２】
本発明は、プラスター剤（硬膏剤）等の貼付剤に関し、指が滑り難くしっかりと剥離シートを摘んで簡単に剥がすことができ剥離作業性に優れ、また既存の生産設備や材料を活用して製造でき新たな設備投資等をほとんど必要とせず、また剥離シートに突出した部分がないため、製造中に剥離シートが引っ掛って製造ラインの停止や不良品の発生等の問題が生じず生産性にも著しく優れ、さらに使用時に包装用袋から取り出す際にもスムーズに取り出せて取扱性にも優れた貼付剤を提供できる。さらに、粘着層に経皮吸収性薬物を含有させることにより、手指の力の弱った高齢者であっても自ら剥離シートを剥がして円滑に皮膚に貼付でき、一定量の有効成分をコントロールしながら持続的に経皮吸収させて投与できる貼付剤を提供できる。
【図面の簡単な説明】
【０１１３】
【図１】実施の形態１における貼付剤の平面図
【図２】実施の形態１における貼付剤の底面図
【図３】実施の形態１における貼付剤の正面図
【図４】実施の形態１における貼付剤の左側面図
【図５】図１のＸ−Ｘ線における断面図
【図６】実施の形態１における貼付剤に指掛け孔を形成する状態を示す図
【図７】実施の形態１における貼付剤の切り込み線の舌片を折り曲げた状態を示す図
【図８】実施の形態１における貼付剤の皮膚患部への貼付作業の一例を示す図
【図９】実施の形態２における貼付剤の平面図
【図１０】実施の形態３における貼付剤の平面図
【図１１】実施の形態４における貼付剤の平面図
【図１２】実施の形態５における貼付剤の平面図
【図１３】実施の形態６における貼付剤の平面図
【図１４】実施の形態７における貼付剤の平面図
【図１５】実施の形態８における貼付剤の平面図
【図１６】実施の形態９における貼付剤の平面図
【図１７】実施の形態１０における貼付剤の平面図
【図１８】実施の形態１１における貼付剤の平面図
【図１９】実施の形態１２における貼付剤の平面図
【図２０】実施の形態１３における貼付剤の平面図
【図２１】実施の形態１４における貼付剤の平面図
【図２２】実施の形態１５における貼付剤の平面図
【図２３】実施の形態１６における貼付剤の平面図
【図２４】実施の形態１７における貼付剤の平面図
【図２５】実施の形態１８における貼付剤の平面図
【図２６】実施の形態１９における貼付剤の平面図
【図２７】実施の形態２０における貼付剤の平面図
【図２８】実施の形態２１における貼付剤の平面図
【図２９】実施の形態２２における貼付剤の平面図
【図３０】実施の形態２３における貼付剤の平面図
【図３１】実施の形態２４における貼付剤の平面図
【図３２】実施の形態２５における貼付剤の平面図
【図３３】実施の形態２６における貼付剤の平面図
【図３４】実施の形態２７における貼付剤の平面図
【図３５】実施の形態２８における貼付剤の平面図
【図３６】実施の形態２９における貼付剤の平面図
【図３７】実施の形態３０における貼付剤の平面図
【図３８】実施の形態３１における貼付剤の平面図
【符号の説明】
【０１１４】
１，１ａ，１ｂ，１ｃ，１ｄ，１ｅ，１ｆ，１ｇ，１ｈ，１ｉ，１ｊ，１ｋ，１ｌ，１ｍ，１ｎ，１ｏ，１ｐ，１ｑ，１ｒ，１ｓ，１ｔ，１ｕ，１ｖ，１ｗ，１ｘ，１ｙ，１ｚ，１α，１β，１γ，１δ  貼付剤
２  支持体
３  粘着層
４  剥離シート
５，６  縁部
７，７ｅ，７ｇ，７γ  切れ目
８，８ｂ，８ｄ，８ｅ，８ｆ，８ｈ，８ｉ，８ｊ，８ｋ，８ｌ，８ｍ，８ｎ，８ｏ，８ｐ，８ｑ，８ｓ，８ｔ，８ｕ，８ｖ，８ｗ，８ｙ  切り込み線
９，９ｂ，９ｄ，９ｅ，９ｆ，９ｈ，９ｉ，９ｊ，９ｋ，９ｌ，９ｍ，９ｎ，９ｒ，９ｓ，９ｔ，９ｕ，９ｖ，９ｙ  主切り込み部
１０，１０ｂ，１０ｄ，１０ｅ，１０ｒ，１０ｓ，１０ｔ，１０ｕ，１０ｙ  切れ目側延設部
１１，１１ｂ，１１ｄ，１１ｓ  平行切り込み部
１２，１２ｂ，１２ｄ，１２ｅ，１２ｆ，１２ｈ，１２ｉ，１２ｊ，１２ｌ，１２ｍ，１２ｎ，１２ｒ  舌片
１３，１３ｏ，１３ｐ，１３ｑ，１３ｗ  縁部分
１４  指掛け孔
１５  皮膚患部
１６，１６β，１６δ  折り線
１７，１７ｋ，１７ｎ  折り線
１８，１８ｈ，１８ｌ，１８ｒ，１８ｔ，１８ｕ，１８ｖ  外側延設部
１９  折り線
２０，２０ｘ  第一切れ目
２１，２０ｘ  第二切れ目
２２  帯部
【図１】
2009022730.tif 000004
【図２】
2009022730.tif 000005
【図３】
2009022730.tif 000006
【図４】
2009022730.tif 000007
【図５】
2009022730.tif 000008
【図６】
2009022730.tif 000009
【図７】
2009022730.tif 000010
【図８】
2009022730.tif 000011
【図９】
2009022730.tif 000012
【図１０】
2009022730.tif 000013
【図１１】
2009022730.tif 000014
【図１２】
2009022730.tif 000015
【図１３】
2009022730.tif 000016
【図１４】
2009022730.tif 000017
【図１５】
2009022730.tif 000018
【図１６】
2009022730.tif 000019
【図１７】
2009022730.tif 000020
【図１８】
2009022730.tif 000021
【図１９】
2009022730.tif 000022
【図２０】
2009022730.tif 000023
【図２１】
2009022730.tif 000024
【図２２】
2009022730.tif 000025
【図２３】
2009022730.tif 000026
【図２４】
2009022730.tif 000027
【図２５】
2009022730.tif 000028
【図２６】
2009022730.tif 000029
【図２７】
2009022730.tif 000030
【図２８】
2009022730.tif 000031
【図２９】
2009022730.tif 000032
【図３０】
2009022730.tif 000033
【図３１】
2009022730.tif 000034
【図３２】
2009022730.tif 000035
【図３３】
2009022730.tif 000036
【図３４】
2009022730.tif 000037
【図３５】
2009022730.tif 000038
【図３６】
2009022730.tif 000039
【図３７】
2009022730.tif 000040
【図３８】
2009022730.tif 000041